(57)【特許請求の範囲】
【請求項１】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を断・接する弁機構（４）と、を収蔵せしめるとともに、前記弁機構（４）の弁軸（４２）を開弁位置と閉弁位置とに切り替え作動させる作動シャフト（７）を、軸方向にスライド自在に収蔵せしめ、その作動シャフト（７）には、前端側に一体または一体的に連結せしめて設けた弁軸（４２）が閉弁位置を占める側に動く方向に該作動シャフト（７）を押し出すよう付勢する復元バネ（５０）を連繋し、この作動シャフト（７）と、前記把持グリップ（１）と一緒に握り込めるようその把持グリップ（１）の前面側に軸支せる握りレバー（５）とを、握りレバー（５）の握り込みにより、作動シャフト（７）が弁機構（４）の弁軸（４２）を開弁位置とする側に動き、握りレバー（５）の握り込みの解放により、作動シャフト（７）が復元バネ（５０）のバネ圧で弁機構（４）の弁軸（４２）を閉弁位置とする側に動くよう連繋機構（Ｍ）を介して連繋して、握りレバー（５）の握り込みにより弁機構（４）が開弁に作動してシーラを吐出筒（２）の筒先から吐出し、握りレバー（５）の握り込みの解放により弁機構（４）が閉弁に作動してシーラの吐出を停止させるシーラガンにおいて、
スライド作動により弁機構（４）を開弁・閉弁に作動さす作動シャフト（７）と連繋する握りレバー（５）に、作動シャフト（７）を閉弁とする側に移動させるよう付勢する復元バネ（５０）と、その復元バネ（５０）よりバネ圧を強く設定したバネ（Ｄ）とを連繋させて設けて、握りレバー（５）の握り込みにより作動シャフト（７）をスライドさせて弁機構（４）を開弁させるときの握りレバー（５）の回動作動を、復元バネ（５０）を圧縮させながら作動シャフト（７）を開弁位置に動かす前半側の回動作動と、作動シャフト（７）を復元バネ（５０）により開弁位置に保持せしめたまま、復元バネ（５０）より強く設定したバネ（Ｄ）を圧縮していく後半側の作動との、２段の作動とし、握りレバー（５）を握りなおす際の握り込みの緩め回動が、この後半側の回動範囲内において弁機構（４）を開弁に保持せしめた状態で行えるようにしたことを特徴とするシーラガン。
【請求項２】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を断・接する弁機構（４）と、を収蔵せしめるとともに、前記弁機構（４）の弁軸（４２）を開弁位置と閉弁位置とに切り替え作動させる作動シャフト（７）を、軸方向にスライド自在に収蔵せしめ、その作動シャフト（７）には、前端側に一体または一体的に連結せしめて設けた弁軸（４２）が閉弁位置を占める側に動く方向に該作動シャフト（７）を押し出すよう付勢する復元バネ（５０）を連繋し、この作動シャフト（７）と、前記把持グリップ（１）と一緒に握り込めるようその把持グリップ（１）の前面側に軸支せる握りレバー（５）とを、握りレバー（５）の握り込みにより、作動シャフト（７）が弁機構（４）の弁軸（４２）を開弁位置とする側に動き、握りレバー（５）の握り込みの解放により、作動シャフト（７）が復元バネ（５０）のバネ圧で弁機構（４）の弁軸（４２）を閉弁位置とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内には、握りレバー（５）の握り込み作動による弁機構（４）の開弁作動と握りレバー（５）の握り込みの解放作動による弁機構（４）の閉弁作動とに、それぞれ連動して吐出作動と吸引作動とを行う液だれ防止装置（Ｂ）のポンプ装置（Ｐ）を組み込み収蔵せしめ、そのポンプ装置（Ｐ）の拡縮するポンプ室（ｐ）に接続せる吸引・吐出パイプ（６４）の先端開口を、ボディ（ａ）の先端側に装設せる吐出筒（２）内に開口せしめ、かつ、スライド作動により弁機構（４）を閉弁・開弁に作動さす作動シャフト（７）と連繋する握りレバー（５）に、作動シャフト（７）を閉弁とする側に移動さすよう付勢する復元バネ（５０）と、その復元バネ（５０）よりバネ圧を強く設定したバネ（Ｄ）とを連繋させて設け、握りレバー（５）の握り込みにより作動シャフト（７）をスライドさせて弁機構（４）を開弁させるときの握りレバー（５）の回動作動を、復元バネ（５０）を圧縮させながら作動シャフト（７）を開弁位置に動かす前半側の作動と、作動シャフト（７）を復元バネ（５０）により開弁位置に保持せしめたまま、復元バネ（５０）よりバネ圧を強く設定したバネ（Ｄ）を圧縮していく後半側の作動との、２段に作動させ、握りレバー（５）を握りなおす際の握り込みの緩め回動が、後半側の回動範囲内において、弁機構（４）を開弁に保持せしめ、液だれ防止装置（Ｂ）のポンプ装置（Ｐ）を吐出作動状態に保持せしめた状態で行えるようにしたことを特徴とするシーラガン。
【請求項３】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を弁軸（４２）の作動により断・接する弁機構（４）と、を収蔵せしめるとともに、前端側に前記弁機構（４）の弁軸（４２）を一体または一体的に設けてスライド作動により弁機構（４）を開弁と閉弁とに切り替え作動させる作動シャフト（７）を軸方向にスライド自在に収蔵せしめ、その作動シャフト（７）には、前端側に設けた弁軸（４２）が閉弁位置を占める側に動く方向に該作動シャフト（７）を押し出すよう付勢する復元バネ（５０）を連繋し、この作動シャフト（７）と、前記把持グリップ（１）の前面側に軸支せる握りレバー（５）とを、握りレバー（５）の握り込みにより、作動シャフト（７）が弁機構（４）を開弁位置とする側に動き、握りレバー（５）の握り込みの解放により、作動シャフト（７）が復元バネ（５０）のバネ圧で弁機構（４）を閉弁とする側に動くよう連繋機構（Ｍ）を介して連繋して、握りレバー（５）の握り込みにより弁機構（４）が開弁に作動してシーラを吐出筒（２）の筒先から吐出し、握りレバー（５）の握り込みの解放により弁機構（４）が閉弁に作動してシーラの吐出を停止させるシーラガンにおいて、
作動シャフト（７）には、筒状に形成した係止部材（７０）を、軸方向に摺動自在に嵌装して、作動シャフト（７）に対する後方への移動を規制部材（７１）により規制し、前方への移動を該作動シャフト（７）の周面に設けた係合段部（７２）と係止部材（７０）との間に渡架せるバネ（Ｄ）により規制し、かつ、そのバネ（Ｄ）のバネ圧は復元バネ（５０）のバネ圧より強く設定しておき、握りレバー（５）の握り込みにより、復元バネ（５０）を圧縮させながら作動シャフト（７）を弁機構（４）を開弁とする側にスライドさせるときの握りレバー（５）の回動作動を、復元バネ（５０）を圧縮させながら作動シャフト（７）を開弁位置に動かす前半側の回動作動と、作動シャフト（７）を復元バネ（５０）により開弁の状態位置に保持せしめたまま、その作動シャフト（７）に対しボビン状の係止部材（７０）を、強いバネ圧のバネ（Ｄ）を押し縮めながらスライドさせていく後半側の作動との、２段に作動させ、握りレバー（５）を握りなおす操作の際の握り込みの緩め回動が、係止部材（７０）を作動シャフト（７）に対して動かす後半側の回動範囲内において、弁機構（４）を開弁に保持せしめた状態で行えるようにしたことを特徴とするシーラガン。
【請求項４】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を弁軸（４２）の作動により断・接する弁機構（４）と、を収蔵せしめるとともに、前端側に前記弁機構（４）の弁軸（４２）を一体または一体的に設けて、スライド作動により弁機構（４）を開弁と閉弁とに切り替え作動させる作動シャフト（７）を軸方向にスライド自在に収蔵せしめ、その作動シャフト（７）には、前端側に設けた弁軸（４２）が閉弁位置を占める側に動く方向に該作動シャフト（７）を押し出すよう付勢する復元バネ（５０）を連繋し、この作動シャフト（７）と、前記把持グリップ（１）の前面側に軸支せる握りレバー（５）とを、握りレバー（５）の握り込みにより、作動シャフト（７）が弁機構（４）を開弁位置とする側に動き、握りレバー（５）の握り込みの解放により、作動シャフト（７）が復元バネ（５０）のバネ圧で弁機構（４）を閉弁とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内には、握りレバー（５）の握り込み作動による弁機構（４）の開弁作動と握りレバー（５）の握り込みの解放作動による弁機構（４）の閉弁作動とに、それぞれ連動して吐出作動と吸引作動とを行う液だれ防止装置（Ｂ）のポンプ装置（Ｐ）を組み込み収蔵せしめ、そのポンプ装置（Ｐ）の拡縮するポンプ室（ｐ）に接続せる吸引・吐出パイプ（６４）の先端開口を、ボディ（ａ）の先端側に装設せる吐出筒（２）内に開口せしめ、
作動シャフト（７）には、筒状に形成した係止部材（７０）を、軸方向に摺動自在に嵌装して、作動シャフト（７）に対する後方への移動を規制部材（７１）により規制し、前方への移動を、該作動シャフト（７）の周面に設けた係合段部（７２）と係止部材（７０）との間に渡架せるバネ（Ｄ）のバネ圧により規制し、かつ、そのバネ（Ｄ）のバネ圧は復元バネ（５０）のバネ圧より強く設定しておいて、握りレバー（５）の握り込みにより復元バネ（５０）を圧縮させながら作動シャフト（７）を弁機構（４）を開弁とする側にスライドさせるときの握りレバー（５）の回動作動を、復元バネ（５０）を圧縮させながら作動シャフト（７）を開弁方向のエンドまで動かす前半側の作動と、作動シャフト（７）を復元バネ（５０）のバネ圧により開弁の状態位置に保持せしめた状態においてその作動シャフト（７）に対しボビン状の係止部材（７０）を、バネ（Ｄ）を押し縮めながら作動シャフト（７）上をスライドさせていく後半側の作動との、２段に作動させ、握りレバー（５）を握りなおす操作の際の握り込みの緩め回動が、係止部材（７０）を作動シャフト（７）に対して動かす後半側の回動範囲内において、弁機構（４）を開弁に保持せしめ、液だれ防止装置（Ｂ）のポンプ装置（Ｐ）を吐出作動に保持せしめた状態で行えるようにしたことを特徴とするシーラガン。
【請求項５】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を断・接する弁機構（４）と、を収蔵せしめるとともに、前記弁機構（４）の弁軸（４２）を開弁位置と閉弁位置とに切り替え作動させる作動シャフト（７）を、軸方向にスライド自在に収蔵せしめ、その作動シャフト（７）には、前端側に一体または一体的に連結せしめて設けた弁軸（４２）が閉弁位置を占める側に動く方向に該作動シャフト（７）を押し出すよう付勢する復元バネ（５０）を連繋し、この作動シャフト（７）と、前記把持グリップ（１）と一緒に握り込めるようその把持グリップ（１）の前面側に軸支せる握りレバー（５）とを、握りレバー（５）の握り込みにより、作動シャフト（７）が弁機構（４）の弁軸（４２）を開弁位置とする側に動き、握りレバー（５）の握り込みの解放により、作動シャフト（７）が復元バネ（５０）のバネ圧で弁機構（４）の弁軸（４２）を閉弁位置とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
把持グリップ（１）の前面側に配位してボディ（ａ）に軸支する握りレバー（５）は、把持グリップ（１）とともに該握りレバー（５）を握り込むときの掌の指のかかる先端側の握り部（５ａ）と、支軸（ｓ）に軸支されて前後方向に回動する基端側の主体部（５ｂ）とに２分し、その先端側の握り部（５ａ）と基端側の主体部（５ｂ）とを、握り部（５ａ）が主体部（５ｂ）に対し直列に連続する姿勢位置から把持グリップ（１）に沿う姿勢位置との間を自在に折曲回動するよう軸着連結し、かつ、握り部（５ａ）と主体部（５ｂ）との間に、握り部（５ａ）を主体部（５ｂ）と直列に連続する状態位置に向け回動さすよう付勢するバネ（Ｄ）を復元バネ（５０）より強いバネ圧に設定して付設し、そのバネ（Ｄ）のバネ圧により先端側の握り部（５ａ）を基端側の主体部（５ｂ）に対し直列に連続する状態姿勢に保持せしめて、握りレバー（５）の握り込みにより作動シャフト（７）をスライドさせて弁機構（４）を開弁作動させるときの握りレバー（５）の回動作動を、主体部（５ｂ）と握り部（５ａ）とが一緒に回動して復元バネ（５０）を圧縮しながら作動シャフト（７）を開弁位置に動かす前半側の作動と、握り部（５ｂ）だけが復元バネ（５０）により作動シャフト（７）を開弁位置に保持せしめたまま強いバネ圧のバネ（Ｄ）を圧縮しながら回動する後半側の作動との２段の作動とし、握りレバー（５）を握りなおす際の握り込みの緩め回動が、後半側の回動範囲内において、弁機構（４）を開弁に保持せしめた状態において行われるようにしたことを特徴とするシーラガン。
【請求項６】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を断・接する弁機構（４）と、を収蔵せしめるとともに、前記弁機構（４）の弁軸（４２）を開弁位置と閉弁位置とに切り替え作動させる作動シャフト（７）を、軸方向にスライド自在に収蔵せしめ、その作動シャフト（７）には、前端側に一体または一体的に連結せしめて設けた弁軸（４２）が閉弁位置を占める側に動く方向に該作動シャフト（７）を押し出すよう付勢する復元バネ（５０）を連繋し、この作動シャフト（７）と、前記把持グリップ（１）と一緒に握り込めるようその把持グリップ（１）の前面側に軸支せる握りレバー（５）とを、握りレバー（５）の握り込みにより、作動シャフト（７）が弁機構（４）の弁軸（４２）を開弁位置とする側に動き、握りレバー（５）の握り込みの解放により、作動シャフト（７）が復元バネ（５０）のバネ圧で弁機構（４）の弁軸（４２）を閉弁位置とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内には、握りレバー（５）の握り込み作動による弁機構（４）の開弁作動と握りレバー（５）の握り込みの解放作動による弁機構（４）の閉弁作動とに、それぞれ連動して吐出作動と吸引作動とを行う液だれ防止装置（Ｂ）のポンプ装置（Ｐ）を組み込み収蔵せしめ、そのポンプ装置（Ｐ）の拡縮するポンプ室（ｐ）に接続せる吸引・吐出パイプ（６４）の先端開口を、ボディ（ａ）の先端側に装設せる吐出筒（２）内に開口せしめ、把持グリップ（１）の前面側に配位してボディ（ａ）に軸支する握りレバー（５）を、把持グリップ（１）とともに該握りレバー（５）を握り込むときの掌の指のかかる先端側の握り部（５ａ）と、支軸（ｓ）に軸支されて前後方向に回動する基端側の主体部（５ｂ）とに分割し、分割した先端側の握り部（５ａ）と基端側の主体部（５ｂ）とに、握り部（５ａ）を主体部（５ｂ）に対し直列に連続する状態位置に向け回動さすよう付勢するバネ（Ｄ）を、復元バネ（５０）より強いバネ圧に設定して付設し、そのバネ（Ｄ）のバネ圧により先端側の握り部（５ａ）を基端側の主体部（５ｂ）に対し直列に連続する状態姿勢に保持せしめ、
握りレバー（５）の握り込みにより作動シャフト（７）をスライドさせて弁機構（４）を開弁作動させるときの握りレバー（５）の回動作動を、主体部（５ｂ）と握り部（５ａ）とが一緒に回動して復元バネ（５０）を圧縮しながら作動シャフト（７）を開弁位置に動かす前半側の作動と、握り部（５ｂ）だけが復元バネ（５０）により作動シャフト（７）を開弁位置に保持せしめたまま強いバネ圧のバネ（Ｄ）を圧縮しながら回動する後半側の作動との２段の作動に構成し、握りレバー（５）を握りなおす際の握り込みの緩め回動が、後半側の回動範囲内において、弁機構（４）を開弁に保持せしめ、液だれ防止装置（Ｂ）のポンプ装置（ｐ）を吐出作動に保持せしめた状態において行われるようにしたことを特徴とするシーラガン。
【請求項７】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を弁軸（４２）の作動により断・接する弁機構（４）と、を収蔵せしめるとともに、前端側に前記弁機構（４）の弁軸（４２）を一体または一体的に設けてスライド作動により弁機構（４）を開弁と閉弁とに切り替え作動させる作動シャフト（７）を軸方向にスライド自在に収蔵せしめ、その作動シャフト（７）には、前端側に設けた弁軸（４２）が閉弁位置を占める側に動く方向に該作動シャフト（７）を押し出すよう付勢する復元バネ（５０）を連繋し、この作動シャフト（７）と、前記把持グリップ（１）の前面側に軸支せる握りレバー（５）とを、握りレバー（５）の握り込みにより、作動シャフト（７）が弁機構（４）を開弁位置とする側に動き、握りレバー（５）の握り込みの解放により、作動シャフト（７）が復元バネ（５０）のバネ圧で弁機構（４）を閉弁とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内の先端側には、シリンダ状のケーシング（６０）と、そのケーシング（６０）の前端側に取り付ける吸引ブロック（６２）と、ケーシング（６０）内を前後に往復動するピストン（６１）と、そのピストン（６１）と前記吸引ブロック（６２）との間に形成される拡縮するポンプ室（ｐ）と、そのポンプ室（ｐ）に基端側が接続し先端側が吐出筒（２）内において吐出口（２０）の近傍位置に臨む吸引・吐出パイプ（６４）と、からなる液だれ防止装置（Ｂ）のポンプ装置（Ｐ）を組み込み、
作動シャフト（７）の前端側に設ける弁機構（４）の弁軸（４２）は、作動シャフト（７）とは別体の円筒状に形成して、前端側を前記ポンプ装置（Ｐ）のピストン（６１）の後面側に一体または一体的に連続させ、
作動シャフト（７）の前端側には、前記円筒状の弁軸（４２）内に嵌合する嵌合軸部（７ａ）を形設して、その嵌合軸部（７ａ）内に、弁軸（４２）を摺動自在に嵌合し、規制金具により摺動範囲を一定の距離（ｄ）に規制して組み付け、この嵌合軸部（７ａ）と前記弁軸（４２）に連続するピストン（６１）との間に、嵌合軸部（４２）を弁軸（４２）から押し出す方向に付勢するバネ（Ｄ）を、復元バネ（５０）より強いバネ圧に設定して渡架装設して、握りレバー（５）の握り込みにより作動シャフト（７）をスライドさせて弁機構（４）を開弁させるときの、握りレバー（５）の回動作動を、復元バネ（５０）を圧縮しながら作動シャフト（７）と弁軸（４２）とを開弁位置に押し込んでいく前半側の作動と、強いバネ（Ｄ）を圧縮しながら作動シャフト（７）を弁軸（４２）内に押し込んでいく後半側の作動との、２段に作動させ、握りレバー（５）を握りなおす際の緩め回動が、後半側の回動範囲内において弁機構（４）を開弁に保持せしめ、液だれ防止装置（Ｂ）のポンプ装置（Ｐ）を吐出作動の状態に保持せしめた状態で行えるようにしたことを特徴とするシーラガン。
【請求項８】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を弁軸（４２）の作動により断・接する弁機構（４）と、を収蔵せしめるとともに、前端側に前記弁機構（４）の弁軸（４２）を一体または一体的に設けてスライド作動により弁機構（４）を開弁と閉弁とに切り替え作動させる作動シャフト（７）を軸方向にスライド自在に収蔵せしめ、その作動シャフト（７）には、前端側に設けた弁軸（４２）が閉弁位置を占める側に動く方向に該作動シャフト（７）を押し出すよう付勢する復元バネ（５０）を連繋し、この作動シャフト（７）と、前記把持グリップ（１）の前面側に軸支せる握りレバー（５）とを、握りレバー（５）の握り込みにより、作動シャフト（７）が弁機構（４）を開弁位置とする側に動き、握りレバー（５）の握り込みの解放により、作動シャフト（７）が復元バネ（５０）のバネ圧で弁機構（４）を閉弁とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内の先端側には、シリンダ状のケーシング（６０）と、そのケーシング（６０）の前端側に取り付ける吸引ブロック（６２）と、ケーシング（６０）内を前後に往復動するピストン（６１）と、そのピストン（６１）と前記吸引ブロック（６２）との間に形成される拡縮するポンプ室（ｐ）と、そのポンプ室（ｐ）に基端側が接続し先端側が吐出筒（２）内において吐出口（２０）の近傍位置に臨む吸引・吐出パイプ（６４）と、からなる液だれ防止装置（Ｂ）のポンプ装置（Ｐ）を組み込み、作動シャフト（７）の前端側に設ける弁機構（４）の弁軸（４２）は、作動シャフト（７）とは別体の円筒状に形成して、前端側を前記ポンプ装置（Ｐ）のピストン（６１）の後面側に一体または一体的に連続させ、作動シャフト（７）の前端側には、前記円筒状の弁軸（４２）内に嵌合する嵌合軸部（７ｂ）を形成して、その嵌合軸部（７ｂ）内に弁軸（４２）を摺動自在に嵌合し、規制金具により摺動範囲を一定の距離（ｄ）に規制して嵌合軸部（７ｂ）に組み付け、円筒状の弁軸（４２）の後端部と作動シャフト（７）の周面に設けた係止金具（ｆ）との間に、嵌合軸部（４２）を弁軸（４２）から押し出す方向に付勢するバネ（Ｄ）を、復元バネ（５０）より強いバネ圧に設定して渡架装設して、握りレバー（５）の握り込みにより作動シャフト（７）をスライドさせて弁機構（４）を開弁させるときの、握りレバー（５）の回動作動を、復元バネ（５０）を圧縮しながら作動シャフト（７）と弁軸（４２）とを開弁位置に押し込んでいく前半側の作動と、強いバネ（Ｄ）を圧縮しながら作動シャフト（７）を弁軸（４２）内に押し込んでいく後半側の作動との、２段に作動させ、握りレバー（５）を握りなおす際の緩め回動が、後半側の回動範囲内において弁機構（４）を開弁に保持せしめ、液だれ防止装置（Ｂ）のポンプ装置（Ｐ）を吐出作動の状態に保持せしめた状態で行えるようにしたことを特徴とするシーラガン。
【請求項９】
筒状に形成して基端側に把持グリップ（１）を具備せしめ、先端側には筒先に吐出口（２０）を開設した吐出筒（２）を接続して設けたボディ（ａ）の内部に、供給管（３）から導入されるシーラを吐出筒（２）に導く誘導路（ｕ）と、その誘導路（ｕ）の前記吐出筒（２）に対する連通を弁軸（４２）の作動により断・接する弁機構（４）と、を収蔵せしめるとともに、前端側に前記弁機構（４）の弁軸（４２）を一体または一体的に設けてスライド作動により弁機構（４）を開弁と閉弁とに切り替え作動させる作動シャフト（７）を軸方向にスライド自在に収蔵せしめ、その作動シャフト（７）には、前端側に設けた弁軸（４２）が閉弁位置を占める側に動く方向に該作動シャフト（７）を押し出すよう付勢する復元バネ（５０）を連繋し、この作動シャフト（７）と、前記把持グリップ（１）の前面側に軸支せる握りレバー（５）とを、握りレバー（５）の握り込みにより、作動シャフト（７）が弁機構（４）を開弁位置とする側に動き、握りレバー（５）の握り込みの解放により、作動シャフト（７）が復元バネ（５０）のバネ圧で弁機構（４）を閉弁とする側に動くよう連繋機構（Ｍ）を介して連繋して、握りレバー（５）の握り込みにより弁機構（４）が開弁作動してシーラを吐出筒（２）の筒先から吐出し、握りレバー（５）の握り込みの解放により弁機構（４）が閉弁に作動してシーラの吐出を停止させるシーラガンにおいて、
ボディ（ａ）内の先端側には、シリンダ状のケーシング（６０）と、そのケーシング（６０）の前端側に取り付ける吸引ブロック（６２）と、ケーシング（６０）内を前後に往復動するピストン（６１）と、そのピストン（６１）と前記吸引ブロック（６２）との間に形成される拡縮するポンプ室（ｐ）と、そのポンプ室（ｐ）に基端側が接続し先端側が吐出筒（２）内において吐出口（２０）の近傍位置に臨む吸引・吐出パイプ（６４）と、からなる液だれ防止装置（Ｂ）のポンプ装置（Ｐ）を組み込み、作動シャフト（７）の前端側に設ける弁機構（４）の弁軸（４２）は、作動シャフト（７）の前端部に前記ポンプ装置（Ｐ）のピストン（６１）と略同径の拡径軸部を一体に連続させて形成して、その拡径軸部をもって弁軸（４２）に構成し、その弁軸（４２）と前記ポンプ装置（Ｐ）のピストン（６１）とを、ピストン（６１）に設けた透孔と弁軸（４２）に設けてその透孔に嵌挿せる連繋金具（ｇ）により、一定の距離（ｄ）を隔てて対向する状態と互いに衝合し合う状態とに変化するよう連繋し、この弁軸（４２）の前端とピストン（６１）との間に、ピストン（６１）と弁軸（４２）との間隔を押し拡げるように作用するバネ（Ｄ）を、前述復元バネ（５０）より強いバネ圧に設定して渡架装設して、握りレバー（５）の握り込みにより作動シャフト（７）をスライドさせて弁機構（４）を開弁させるときの握りレバー（５）の回動作動を、復元バネ（５０）を圧縮しながら作動シャフト（７）とともに弁軸（４２）を開弁位置に押し込んでいく前半側の作動と、強いバネ（Ｄ）を圧縮しながら作動シャフト（７）とともに弁軸（４２）をピストン（６１）と衝合するまで押し込んでいく後半側の作動との、２段に作動させ、握りレバー（５）を握りなおす際の緩め回動が、後半側の回動範囲内において弁機構（４）を開弁に保持せしめ、液だれ防止装置（Ｂ）のポンプ装置（Ｐ）を吐出作動の状態に保持せしめた状態で行えるようにしたことを特徴とするシーラガン。
【発明の詳細な説明】
【技術分野】
【０００１】
本発明は、塗布剤または充填剤等のシーラを吐出筒の先端の吐出口から吐出させるシーラガンについての改良に関する。
【０００２】
さらに具体的にいえば、筒状に形成して基端側に把持グリップを具備せしめたボディの先端部に、先端側を小径のノズルに形成した吐出筒を接続し、ボディの内部には、シーラを吐出筒に導く誘導路と、その誘導路の吐出筒への連通を断・接する弁機構とを設け、その弁機構を、開弁・閉弁に作動させる弁軸を、把持グリップに並列させてボディに軸支した握りレバーに対し、該レバーの握り込みで開弁位置に動かし、握り込みの解放による復元回動で閉弁位置に動かすよう連繋して、握りレバーの握り込みでシーラが吐出し、握りレバーの握り込みの解放によりシーラの吐出が停止するようにしたシーラガンについての改良に関するものである。
【背景技術】
【０００３】
塗布剤・充填剤などを液材料としたシーラを、構造体の隙間・間隙に、塗布・充填する作業に用いられるシーラガンは、通常、図１に示しているように、基端側に把持グリップ１を有する中空筒体の銃身状に形成したボディａの先端部に、先端側をノズル状に形成した吐出筒２を接続させて設け、ボディａの内部には、供給管３から供給されてくるシーラを先端側の吐出筒２に導く誘導路ｕと、その誘導路ｕの吐出筒２に対する連通を断・接する弁機構４と、その弁機構４の弁軸４２を、弁口４０と弁座口４１とが接続連通した開弁位置と弁口４０が閉鎖された閉弁位置とに切り替え作動させる作動シャフト７と、を設け、その作動シャフト７には弁軸４２を閉弁位置に動かす方向に付勢する復元バネ５０を作用させ、かつ、その作動シャフト７と把持グリップ１の前面に並列させて軸支した握りレバー５とを、握りレバー５の握り込みで作動シャフト７が弁機構４を開弁とする方向に動かし、握り込みの解放で、復元バネ５０により作動シャフト７が弁機構４の弁軸４２を閉弁とする方向に動くよう、連繋機構Ｍを介し連繋した構成としてあって、これにより、握りレバー５を把持グリップ１とともに握り込むと、弁機構４が開弁して供給管３から供給されてくるシーラが、誘導路ｕを経て吐出筒２に導かれて、その吐出筒２の筒先の吐出口２０から吐出され、握りレバー５の握り込みを放すと、弁機構４が閉弁に作動して、シーラの吐出を停止するようにしている。
【０００４】
この握りレバー５の回動作動と弁機構４の開弁・閉弁の作動とを連動・連繋させる連繋機構Ｍは、通常、前端側に弁機構４の弁軸４２を一体または一体的に設けて前後方向にスライド自在に収蔵せしめる作動シャフト７の周面に、係止部材（図示省略）を設けて、この係止部材とボディａの内周側に設けた係止部（図示省略）との間に、作動シャフト７を先端側に設けた弁軸４２が閉弁位置に向かう方向に押し出すように作用する復元バネ５０を渡架装設し、握りレバー５には、それの回動により前後方向に作動する突起状の係合突起（図示省略）を設けて、この係合突起を作動シャフト７に設けた係止部材に対し前後方向に係合するように係合連繋させることで構成してある。そしてこれにより、握りレバー５を把持グリップ１とともに握り込んで把持グリップ１に閉じ合わせる方向に回動させると、作動シャフト７が復元バネ５０を押し縮めてそのバネ圧を増大させながら前後の一方向（図１の例のものでは後方）に動いて、弁軸４２を開弁位置に動かし、握りレバー５の握り込みを開放すると、作動シャフト７が増大した復元バネ５０のバネ圧で前後の他方向（図１の例では前方）にスライドして弁軸４２を閉弁位置に動かし、閉弁に作動させ、同時にその作動シャフト７のスライド作動で握りレバー５を、把持グリップ１から離れた開放位置に向け復元回動させるようにしてある。即ち、握りレバー５を復元バネ５０の付勢に抗して握り込むと、弁座口４１を装備せる弁軸４２が、弁口４０を開放する位置に動いて弁機構４を開弁し、握りレバー５の握り込みを解放すると、該握りレバー５が復元バネ５０のバネ圧で開放位置に向け回動すると、弁座口４１を装備する弁軸４２が弁口４０を閉塞する位置に動いて弁機構４を閉弁するようにしてある。
【０００５】
このように、把持グリップ１に並設した握りレバー５を、把持グリップ１とともに握り込むと、シーラの吐出をオン・オフ制御する弁機構４が開弁に作動してシーラを吐出筒２の筒先の吐出口２０から吐出させ、握りレバー５の握り込みを解放すると、握りレバー５が復元バネ５０で把持グリップ１から離れた開放位置に復元回動し、同時に弁機構４が閉弁作動を行ってシーラの吐出を停止させるように構成しているシーラガンＡには、該シーラガンを用いて行うシーラの塗布・充填の作業中に、シーラガンを把持する作業者の手に生ずる疲労に対処するための、握りレバー５の握りなおしが厄介で、作業性を悪くしている問題がある。
【０００６】
これは、シーラガンＡの握りレバー５を把持グリップ１とともに握り込んで、弁機構４を開弁させ、これによりシーラが吐出口２０から吐出してくる状態に保持してシーラの塗布作業を行う際、握りレバー５の握り込みは、握りレバー５の回動範囲のエンドの位置まで固く握り込んでおかなければならない。握りを緩めると復元バネ５０により握りレバー５が開放側に復元回動して、弁機構４が閉弁側に作動するようになって、吐出口２０からのシーラの吐出を停止させ、作業を乱すようになるからである。このため、固く握り続ける手には疲労が出てくる。この疲労の対処には、握りレバー５を握り込んだ掌の握り込みを一度緩めて握りなおす操作を行うが、このとき、握りの緩めにより握りレバー５が復元バネ５０により復元回動して弁機構４を閉弁側に作動させるようになって、シーラの吐出を停止させるようになる。これを避けるため、握りなおしの操作は、他方の手を握りレバー５に添えて復元回動しないように押さえておくことが必要となる。しかし、他方の手で握りレバー５を押さえる操作は、握り込んでいる掌の指から外れている部位を押さえることで、むずかしく、ミスを生ぜしめ易い。このことから、疲労に対処のための握りなおしの操作を厄介なものとしている。
【０００７】
また、このシーラガンＡには、シーラの吐出を停止させたときに、吐出筒２の吐出口２０からつらら状に垂れ下がるように生成してくるシーラの液だれを、シーラの吐出を停止させる度ごとに拭い取って廃棄しなければならないことで、作業性を悪くしている別の問題がある。
【０００８】
これは、シーラガンＡの、握りレバー５の握り込みを放して、シーラの吐出を停止させたとき、弁機構４より下流側においてシーラガンＡの器内に残留したシーラが、供給管３から導入されるときに与えられている圧力により、吐出筒２の筒先の吐出口２０から押し出されてくることで、その押し出されるシーラが、吐出筒２の筒先の吐出口２０から離れずに、その吐出口２０の周辺に付着して、つらら状に垂れ下がる液だれを生成するようになり、そのシーラの液だれが、放置しておくと、外気に曝されることで、次に塗布作業・充填作業を行うときには、正常に使用できない性状のシーラに変性する性状のものであることから、シーラの吐出を停止させたときに、その直後に、吐出筒２の先端から拭き取って廃棄する処理を行っているということである。
【０００９】
シーラの吐出を停止したときに生成されてくる液だれについての問題の対策としては、生じた液だれを吸引・除去して消失せしめる液だれ防止装置Ｂを、シーラガンＡのボディａに組み付け装備せしめる手段が開発されている。
【００１０】
このシーラガンＡのボディａに組み付け装備せしめる液だれ防止装置Ｂは、これを組み付けた図２に示すシーラガンＡの例について具体的に説明すれば、シーラガンＡの本体を構成するボディａに、内部空間をシリンダ状に形成したケーシング６０と、そのケーシング６０の後面側から摺動自在に嵌合するピストン６１と、そのケーシング６０の前端側に装着する吸引ブロック６２と、その吸引ブロック６２に設けた吸引・吐出口６３に接続する吸引・吐出パイプ６４とにより、ピストン６１のケーシング６０に対する出入作動で、吸引ブロック６２の後壁面とピストン６１の前端面との間に形成される拡縮するポンプ室ｐが拡縮して吸引・吐出口６３を介し吸引と吐出を行うポンプ装置Ｐを構成し、このポンプ装置Ｐを、シーラガンＡのボディａ内の前端側で、ボディａ内に収蔵してある作動シャフト７の前端側の弁機構４より前方に位置する部位に組み込み、そのポンプ装置Ｐのピストン６１を、前記作動シャフト７の前端側に設けた弁機構４の弁軸４２の前端側に一体的に連続させて設けることで、握りレバー５の握り込みにより、握りレバー５に設けた係合突起５１と作動シャフト７に設けたボビン状の係止部材７０とで構成している連繋機構Ｍを介し、作動シャフト７と弁軸４２とを前方に動かし、弁機構４を開弁作動させてシーラの吐出が行われるようにしたときに、同時にピストン６１がケーシング６０内に押し込まれて拡縮するポンプ室ｐの内容積を押し縮める吐出作動を行い、握りレバー５の握り込みを解放して、弁機構４を閉弁作動させてシーラの吐出を停止させたときには、ピストン６１がケーシング６０から引き出されてポンプ室ｐの内容積を拡張させる吸引作動を行うように、このポンプ装置Ｐの作動と、握りレバー５の回動作動とを連動・連繋させておく。
【００１１】
このポンプ装置Ｐの作動をさらに具体的に説明すれば、握りレバー５を握り込んで、作動シャフト７を前後の一方向（この図２に示す例では前方）に動かすと、作動シャフト７の前端側に設けた弁機構４の弁軸４２が前方に動いて、その弁軸４２に設けた弁座口４１をボディａ内周面に設けた弁口４０に対向させて開弁の状態とし、同時に弁軸４２に連続させて設けたポンプ装置Ｐのピストン６１がケーシング６０内に押し込まれて、ポンプ室ｐを押し縮めて吐出作動を行い、握りレバー５の握り込みを解放すると、復元バネ５０により作動シャフト７が後方に動くことで、連繋機構Ｍを介し握りレバー５が、把持グリップ１から離れた開放位置に復元回動し、同時に、復元バネ５０による作動シャフト７の後方移動により、弁機構４の弁軸４２が後方に動いて、弁軸４２に設けてある弁座口４１を弁口４０から離れた位置に動かし、弁機構４を閉弁に作動させ、かつ、弁軸４２と連続するポンプ装置Ｐのピストン６１を後方移動させ、ケーシング６０から引き出すようにしてポンプ室ｐを拡張させ吸引作動を行わすようにしてある。
【００１２】
そして、このポンプ装置Ｐのポンプ室ｐに連通する吸引・吐出パイプ６４は、シーラガンＡのボディａの先端側に接続させて設ける吐出筒２の内部に配位して、該パイプ６４の先端開口を吐出筒２の筒先の吐出口２０の近傍位置に臨ませておき、これにより、シーラの塗布作業において、握りレバー５の握り込みを放して、弁機構４を閉弁させてシーラの吐出を停止したときに、ポンプ装置Ｐが吸引作動を行って、シーラガンＡの吐出筒２の筒先付近に生じてくるシーラの液だれを、吸引・吐出パイプ６４が吐出筒２の吐出口２０から吐出筒２内に吸引してポンプ装置Ｐのポンプ室ｐ内に引き込ませ、吐出筒２の吐出口２０から垂れ下がるように生じてくるシーラの液だれＳを消失せしめるシーラガンＡの液だれ防止装置Ｂを構成するようにしている。
【００１３】
ところで、このように、液だれ防止装置Ｂを組み付けたシーラガンＡは、握りレバー５を握り込んで、弁機構４を開弁させてシーラを吐出筒２の筒先の吐出口２０から吐出させて行う塗布・充填の作業中において、握りレバー５の握り込みを緩めると、弁機構４が閉弁側に作動し、かつ、液だれ防止装置Ｂのポンプ装置Ｐが吸引作動を行うようになって、吐出口２０からのシーラの吐出状態を乱すようになるから、前述の図１に示しているシーラガンＡと同様に、弁機構４を開弁位置に保持せしめるようたえず握りレバー５を固く握り込んでおかなければならない。そして、これにより生じてくる握りレバー５を握る掌の疲れの対処のための、握りなおしの操作を、他方の手を添えて、握りレバー５が回動しないように抑えた状態で行うことから、疲れが生じたときの握りなおしの操作を厄介なものとして、作業性を悪くしている。
【発明の概要】
【発明が解決しようとする課題】
【００１４】
本発明において解決しようとする課題は、握りレバー５の握り込みにより弁機構４が開弁してシーラが吐出筒２の筒先から吐出し、握り込みの解放により弁機構４が閉弁してシーラの吐出が停止するように構成してあるシーラガンにおいて、握りレバー５を握り込んだ状態で行うシーラの塗布作業中における握り込んだ掌の疲れの対処のための握りなおしの操作が、他方の手を添えずに、シーラの吐出に乱れを生ぜしめることなく手軽に行えるようにする手段を構成する点にある。
【課題を解決するための手段】
【００１５】
本発明においては、上述の課題を解決するための手段として、筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を断・接する弁機構４と、を収蔵せしめるとともに、前記弁機構４の弁軸４２を開弁位置と閉弁位置とに切り替え作動させる作動シャフト７を、軸方向にスライド自在に収蔵せしめ、その作動シャフト７には、前端側に一体または一体的に連結せしめて設けた弁軸４２が閉弁位置を占める側に動く方向に該作動シャフト７を押し出すよう付勢する復元バネ５０を連繋し、この作動シャフト７と、前記把持グリップ１と一緒に握り込めるようその把持グリップ１の前面側に軸支せる握りレバー５とを、握りレバー５の握り込みにより、作動シャフト７が弁機構４の弁軸４２を開弁位置とする側に動き、握りレバー５の握り込みの解放により、作動シャフト７が復元バネ５０のバネ圧で弁機構４の弁軸４２を閉弁位置とする側に動くよう連繋機構Ｍを介して連繋して、握りレバー５の握り込みにより弁機構４が開弁に作動してシーラを吐出筒２の筒先から吐出し、握りレバー５の握り込みの解放により弁機構４が閉弁に作動してシーラの吐出を停止させるシーラガンにおいて、
スライド作動により弁機構４を開弁・閉弁に作動さす作動シャフト７と連繋する握りレバー５に、作動シャフト７を閉弁とする側に移動させるよう付勢する復元バネ５０と、その復元バネ５０よりバネ圧を強く設定したバネＤとを連繋させて設けて、握りレバー５の握り込みにより作動シャフト７をスライドさせて弁機構４を開弁させるときの握りレバー５の回動作動を、復元バネ５０を圧縮させながら作動シャフト７を開弁位置に動かす前半側の回動作動と、作動シャフト７を復元バネ５０により開弁位置に保持せしめたまま、復元バネ５０より強く設定したバネＤを圧縮していく後半側の作動との、２段の作動とし、握りレバー５を握りなおす際の握り込みの緩め回動が、この後半側の回動範囲内において弁機構４を開弁に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を断・接する弁機構４と、を収蔵せしめるとともに、前記弁機構４の弁軸４２を開弁位置と閉弁位置とに切り替え作動させる作動シャフト７を、軸方向にスライド自在に収蔵せしめ、その作動シャフト７には、前端側に一体または一体的に連結せしめて設けた弁軸４２が閉弁位置を占める側に動く方向に該作動シャフト７を押し出すよう付勢する復元バネ５０を連繋し、この作動シャフト７と、前記把持グリップ１と一緒に握り込めるようその把持グリップ１の前面側に軸支せる握りレバー５とを、握りレバー５の握り込みにより、作動シャフト７が弁機構４の弁軸４２を開弁位置とする側に動き、握りレバー５の握り込みの解放により、作動シャフト７が復元バネ５０のバネ圧で弁機構４の弁軸４２を閉弁位置とする側に動くよう連繋機構Ｍを介して連繋して、握りレバー５の握り込みにより弁機構４が開弁に作動してシーラを吐出筒２の筒先から吐出し、握りレバー５の握り込みの解放により弁機構４が閉弁に作動してシーラの吐出を停止させるシーラガンにおいて、
ボディａ内には、握りレバー５の握り込み作動による弁機構４の開弁作動と握りレバー５の握り込みの解放作動による弁機構４の閉弁作動とに、それぞれ連動して吐出作動と吸引作動とを行う液だれ防止装置Ｂのポンプ装置Ｐを組み込み収蔵せしめ、そのポンプ装置Ｐの拡縮するポンプ室ｐに接続せる吸引・吐出パイプ６４の先端開口を、ボディａの先端側に装設せる吐出筒２内に開口せしめ、かつ、スライド作動により弁機構４を閉弁・開弁に作動さす作動シャフト７と連繋する握りレバー５に、作動シャフト７を閉弁とする側に移動さすよう付勢する復元バネ５０と、その復元バネ５０よりバネ圧を強く設定したバネＤとを連繋させて設け、握りレバー５の握り込みにより作動シャフト７をスライドさせて弁機構４を開弁させるときの握りレバー５の回動作動を、復元バネ５０を圧縮させながら作動シャフト７を開弁位置に動かす前半側の作動と、作動シャフト７を復元バネ５０により開弁位置に保持せしめたまま、復元バネ５０よりバネ圧を強く設定したバネＤを圧縮していく後半側の作動との、２段に作動させ、握りレバー５を握りなおす際の握り込みの緩め回動が、後半側の回動範囲内において、弁機構４を開弁に保持せしめ、液だれ防止装置Ｂのポンプ装置Ｐを吐出作動状態に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を弁軸４２の作動により断・接する弁機構４と、を収蔵せしめるとともに、前端側に前記弁機構４の弁軸４２を一体または一体的に設けてスライド作動により弁機構４を開弁と閉弁とに切り替え作動させる作動シャフト７を軸方向にスライド自在に収蔵せしめ、その作動シャフト７には、前端側に設けた弁軸４２が閉弁位置を占める側に動く方向に該作動シャフト７を押し出すよう付勢する復元バネ５０を連繋し、この作動シャフト７と、前記把持グリップ１の前面側に軸支せる握りレバー５とを、握りレバー５の握り込みにより、作動シャフト７が弁機構４を開弁位置とする側に動き、握りレバー５の握り込みの解放により、作動シャフト７が復元バネ５０のバネ圧で弁機構４を閉弁とする側に動くよう連繋機構Ｍ）を介して連繋して、握りレバー５の握り込みにより弁機構４が開弁に作動してシーラを吐出筒２の筒先から吐出し、握りレバー５の握り込みの解放により弁機構４が閉弁に作動してシーラの吐出を停止させるシーラガンにおいて、
作動シャフト７には、筒状に形成した係止部材７０を、軸方向に摺動自在に嵌装して、作動シャフト７に対する後方への移動を規制部材７１により規制し、前方への移動を該作動シャフト７の周面に設けた係合段部７２と係止部材７０との間に渡架せるバネＤにより規制し、かつ、そのバネＤのバネ圧は復元バネ５０のバネ圧より強く設定しておき、握りレバー５の握り込みにより、復元バネ５０を圧縮させながら作動シャフト７を弁機構４を開弁とする側にスライドさせるときの握りレバー５の回動作動を、復元バネ５０を圧縮させながら作動シャフト７を開弁位置に動かす前半側の回動作動と、作動シャフト７を復元バネ５０により開弁の状態位置に保持せしめたまま、その作動シャフト７に対しボビン状の係止部材７０を、強いバネ圧のバネＤを押し縮めながらスライドさせていく後半側の作動との、２段に作動させ、握りレバー５を握りなおす操作の際の握り込みの緩め回動が、係止部材７０を作動シャフト７に対して動かす後半側の回動範囲内において、弁機構４を開弁に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を弁軸４２の作動により断・接する弁機構４と、を収蔵せしめるとともに、前端側に前記弁機構４の弁軸４２を一体または一体的に設けて、スライド作動により弁機構４を開弁と閉弁とに切り替え作動させる作動シャフト７を軸方向にスライド自在に収蔵せしめ、その作動シャフト７には、前端側に設けた弁軸４２が閉弁位置を占める側に動く方向に該作動シャフト７を押し出すよう付勢する復元バネ５０を連繋し、この作動シャフト７と、前記把持グリップ１の前面側に軸支せる握りレバー５とを、握りレバー５の握り込みにより、作動シャフト７が弁機構４を開弁位置とする側に動き、握りレバー５の握り込みの解放により、作動シャフト７が復元バネ５０のバネ圧で弁機構４を閉弁とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
ボディａ内には、握りレバー５の握り込み作動による弁機構４の開弁作動と握りレバー５の握り込みの解放作動による弁機構４の閉弁作動とに、それぞれ連動して吐出作動と吸引作動とを行う液だれ防止装置Ｂのポンプ装置Ｐを組み込み収蔵せしめ、そのポンプ装置Ｐの拡縮するポンプ室ｐに接続せる吸引・吐出パイプ６４の先端開口を、ボディａの先端側に装設せる吐出筒２内に開口せしめ、
作動シャフト７には、筒状に形成した係止部材７０を、軸方向に摺動自在に嵌装して、作動シャフト７に対する後方への移動を規制部材７１により規制し、前方への移動を、該作動シャフト７の周面に設けた係合段部７２と係止部材７０との間に渡架せるバネＤのバネ圧により規制し、かつ、そのバネＤのバネ圧は復元バネ５０のバネ圧より強く設定しておいて、握りレバー５の握り込みにより復元バネ５０を圧縮させながら作動シャフト７を弁機構４を開弁とする側にスライドさせるときの握りレバー５の回動作動を、復元バネ５０を圧縮させながら作動シャフト７を開弁方向のエンドまで動かす前半側の作動と、作動シャフト７を復元バネ５０のバネ圧により開弁の状態位置に保持せしめた状態においてその作動シャフト７に対しボビン状の係止部材７０を、バネＤを押し縮めながら作動シャフト７上をスライドさせていく後半側の作動との、２段に作動させ、握りレバー５を握りなおす操作の際の握り込みの緩め回動が、係止部材７０を作動シャフト７に対して動かす後半側の回動範囲内において、弁機構４を開弁に保持せしめ、液だれ防止装置Ｂのポンプ装置Ｐを吐出作動に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を断・接する弁機構４と、を収蔵せしめるとともに、前記弁機構４の弁軸４２を開弁位置と閉弁位置とに切り替え作動させる作動シャフト７を、軸方向にスライド自在に収蔵せしめ、その作動シャフト７には、前端側に一体または一体的に連結せしめて設けた弁軸４２が閉弁位置を占める側に動く方向に該作動シャフト７を押し出すよう付勢する復元バネ５０を連繋し、この作動シャフト７と、前記把持グリップ１と一緒に握り込めるようその把持グリップ１の前面側に軸支せる握りレバー５とを、握りレバー５の握り込みにより、作動シャフト７が弁機構４の弁軸４２開弁位置とする側に動き、握りレバー５の握り込みの解放により、作動シャフト７が復元バネ５０のバネ圧で弁機構４の弁軸４２を閉弁位置とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
把持グリップ１の前面側に配位してボディａに軸支する握りレバー５は、把持グリップ１とともに該握りレバー５を握り込むときの掌の指のかかる先端側の握り部５ａと、支軸ｓに軸支されて前後方向に回動する基端側の主体部５ｂとに２分し、その先端側の握り部５ａと基端側の主体部５ｂとを、握り部５ａが主体部５ｂに対し直列に連続する姿勢位置から把持グリップ１に沿う姿勢位置との間を自在に折曲回動するよう軸着連結し、かつ、握り部５ａと主体部５ｂとの間に、握り部５ａを主体部５ｂと直列に連続する状態位置に向け回動さすよう付勢するバネＤを復元バネ５０より強いバネ圧に設定して付設し、そのバネＤのバネ圧により先端側の握り部５ａを基端側の主体部５ｂに対し直列に連続する状態姿勢に保持せしめて、握りレバー５の握り込みにより作動シャフト７をスライドさせて弁機構４を開弁作動させるときの握りレバー５の回動作動を、主体部５ｂと握り部５ａとが一緒に回動して復元バネ５０を圧縮しながら作動シャフト７を開弁位置に動かす前半側の作動と、握り部５ｂだけが復元バネ５０により作動シャフト７を開弁位置に保持せしめたまま強いバネ圧のバネＤを圧縮しながら回動する後半側の作動との２段の作動とし、握りレバー５を握りなおす際の握り込みの緩め回動が、後半側の回動範囲内において、弁機構４を開弁に保持せしめた状態において行われるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２）に対する連通を断・接する弁機構４と、を収蔵せしめるとともに、前記弁機構４の弁軸４２を開弁位置と閉弁位置とに切り替え作動させる作動シャフト７を、軸方向にスライド自在に収蔵せしめ、その作動シャフト７には、前端側に一体または一体的に連結せしめて設けた弁軸４２が閉弁位置を占める側に動く方向に該作動シャフト７を押し出すよう付勢する復元バネ５０を連繋し、この作動シャフト７と、前記把持グリップ１と一緒に握り込めるようその把持グリップ１の前面側に軸支せる握りレバー５とを、握りレバー５の握り込みにより、作動シャフト７が弁機構４の弁軸４２を開弁位置とする側に動き、握りレバー５の握り込みの解放により、作動シャフト７が復元バネ５０のバネ圧で弁機構４の弁軸４２を閉弁位置とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
ボディａ内には、握りレバー５の握り込み作動による弁機構４の開弁作動と握りレバー５の握り込みの解放作動による弁機構４の閉弁作動とに、それぞれ連動して吐出作動と吸引作動とを行う液だれ防止装置Ｂのポンプ装置Ｐを組み込み収蔵せしめ、そのポンプ装置Ｐの拡縮するポンプ室ｐに接続せる吸引・吐出パイプ６４の先端開口を、ボディａの先端側に装設せる吐出筒２内に開口せしめ、把持グリップ１の前面側に配位してボディａに軸支する握りレバー５を、把持グリップ１とともに該握りレバー５を握り込むときの掌の指のかかる先端側の握り部５ａと、支軸ｓに軸支されて前後方向に回動する基端側の主体部５ｂとに分割し、分割した先端側の握り部５ａと基端側の主体部５ｂとに、握り部５ａを主体部５ｂに対し直列に連続する状態位置に向け回動さすよう付勢するバネＤを、復元バネ５０より強いバネ圧に設定して付設し、そのバネＤのバネ圧により先端側の握り部５ａを基端側の主体部５ｂに対し直列に連続する状態姿勢に保持せしめ、
握りレバー５の握り込みにより作動シャフト７をスライドさせて弁機構４を開弁作動させるときの握りレバー５の回動作動を、主体部５ｂと握り部５ａとが一緒に回動して復元バネ５０を圧縮しながら作動シャフト７を開弁位置に動かす前半側の作動と、握り部５ｂだけが復元バネ５０により作動シャフト７を開弁位置に保持せしめたまま強いバネ圧のバネＤを圧縮しながら回動する後半側の作動との２段の作動に構成し、握りレバー５を握りなおす際の握り込みの緩め回動が、後半側の回動範囲内において、弁機構４を開弁に保持せしめ、液だれ防止装置Ｂのポンプ装置ｐを吐出作動に保持せしめた状態において行われるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を弁軸４２の作動により断・接する弁機構４と、を収蔵せしめるとともに、前端側に前記弁機構４の弁軸４２を一体または一体的に設けてスライド作動により弁機構４を開弁と閉弁とに切り替え作動させる作動シャフト７を軸方向にスライド自在に収蔵せしめ、その作動シャフト７には、前端側に設けた弁軸４２が閉弁位置を占める側に動く方向に該作動シャフト７を押し出すよう付勢する復元バネ５０を連繋し、この作動シャフト７と、前記把持グリップ１の前面側に軸支せる握りレバー５とを、握りレバー５の握り込みにより、作動シャフト７が弁機構４を開弁位置とする側に動き、握りレバー５の握り込みの解放により、作動シャフト７が復元バネ５０のバネ圧で弁機構４を閉弁とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
ボディａ内の先端側には、シリンダ状のケーシング６０と、そのケーシング６０の前端側に取り付ける吸引ブロック６２と、ケーシング６０内を前後に往復動するピストン６１と、そのピストン６１と前記吸引ブロック６２との間に形成される拡縮するポンプ室ｐと、そのポンプ室ｐに基端側が接続し先端側が吐出筒２内において吐出口２０の近傍位置に臨む吸引・吐出パイプ６４と、からなる液だれ防止装置Ｂのポンプ装置Ｐを組み込み、
作動シャフト７の前端側に設ける弁機構４の弁軸４２は、作動シャフト７とは別体の円筒状に形成して、前端側を前記ポンプ装置Ｐのピストン６１の後面側に一体または一体的に連続させ、
作動シャフト７の前端側には、前記円筒状の弁軸４２内に嵌合する嵌合軸部７ａを形設して、その嵌合軸部７ａ内に、弁軸４２を摺動自在に嵌合し、規制金具により摺動範囲を一定の距離ｄに規制して組み付け、この嵌合軸部７ａと前記弁軸４２に連続するピストン６１との間に、嵌合軸部４２を弁軸４２から押し出す方向に付勢するバネＤを、復元バネ５０より強いバネ圧に設定して渡架装設して、握りレバー５の握り込みにより作動シャフト７をスライドさせて弁機構４を開弁させるときの、握りレバー５の回動作動を、復元バネ５０を圧縮しながら作動シャフト７と弁軸４２とを開弁位置に押し込んでいく前半側の作動と、強いバネＤを圧縮しながら作動シャフト７を弁軸４２内に押し込んでいく後半側の作動との、２段に作動させ、握りレバー５を握りなおす際の緩め回動が、後半側の回動範囲内において弁機構４を開弁に保持せしめ、液だれ防止装置Ｂのポンプ装置Ｐを吐出作動の状態に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を弁軸４２の作動により断・接する弁機構４と、を収蔵せしめるとともに、前端側に前記弁機構４の弁軸４２を一体または一体的に設けてスライド作動により弁機構４を開弁と閉弁とに切り替え作動させる作動シャフト７を軸方向にスライド自在に収蔵せしめ、その作動シャフト７には、前端側に設けた弁軸４２が閉弁位置を占める側に動く方向に該作動シャフト７を押し出すよう付勢する復元バネ５０を連繋し、この作動シャフト７と、前記把持グリップ１の前面側に軸支せる握りレバー５とを、握りレバー５の握り込みにより、作動シャフト７が弁機構４を開弁位置とする側に動き、握りレバー５の握り込みの解放により、作動シャフト７が復元バネ５０のバネ圧で弁機構４を閉弁とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
ボディａ内の先端側には、シリンダ状のケーシング６０と、そのケーシング６０の前端側に取り付ける吸引ブロック６２と、ケーシング６０内を前後に往復動するピストン６１と、そのピストン６１と前記吸引ブロック６２との間に形成される拡縮するポンプ室ｐと、そのポンプ室ｐに基端側が接続し先端側が吐出筒２内において吐出口２０の近傍位置に臨む吸引・吐出パイプ６４と、からなる液だれ防止装置Ｂのポンプ装置Ｐを組み込み、作動シャフト７の前端側に設ける弁機構４の弁軸４２は、作動シャフト７とは別体の円筒状に形成して、前端側を前記ポンプ装置Ｐのピストン６１の後面側に一体または一体的に連続させ、作動シャフト７の前端側には、前記円筒状の弁軸４２内に嵌合する嵌合軸部７ｂを形成して、その嵌合軸部７ｂ内に弁軸４２を摺動自在に嵌合し、規制金具により摺動範囲を一定の距離ｄに規制して嵌合軸部７ｂに組み付け、円筒状の弁軸４２の後端部と作動シャフト７の周面に設けた係止金具ｆとの間に、嵌合軸部４２を弁軸４２から押し出す方向に付勢するバネＤを、復元バネ５０より強いバネ圧に設定して渡架装設して、握りレバー５の握り込みにより作動シャフト７をスライドさせて弁機構４を開弁させるときの、握りレバー５の回動作動を、復元バネ５０を圧縮しながら作動シャフト７と弁軸４２とを開弁位置に押し込んでいく前半側の作動と、強いバネＤを圧縮しながら作動シャフト７を弁軸４２内に押し込んでいく後半側の作動との、２段に作動させ、握りレバー５を握りなおす際の緩め回動が、後半側の回動範囲内において弁機構４を開弁に保持せしめ、液だれ防止装置Ｂのポンプ装置Ｐを吐出作動の状態に保持せしめた状態で行えるようにしたことを特徴とするシーラガン。
を提起し、また、これに併せて、
筒状に形成して基端側に把持グリップ１を具備せしめ、先端側には筒先に吐出口２０を開設した吐出筒２を接続して設けたボディａの内部に、供給管３から導入されるシーラを吐出筒２に導く誘導路ｕと、その誘導路ｕの前記吐出筒２に対する連通を弁軸４２の作動により断・接する弁機構４と、を収蔵せしめるとともに、前端側に前記弁機構４の弁軸４２を一体または一体的に設けてスライド作動により弁機構４を開弁と閉弁とに切り替え作動させる作動シャフト７を軸方向にスライド自在に収蔵せしめ、その作動シャフト７には、前端側に設けた弁軸４２が閉弁位置を占める側に動く方向に該作動シャフト７を押し出すよう付勢する復元バネ５０を連繋し、この作動シャフト７と、前記把持グリップ１の前面側に軸支せる握りレバー５とを、握りレバー５の握り込みにより、作動シャフト７が弁機構４を開弁位置とする側に動き、握りレバー５の握り込みの解放により、作動シャフト７が復元バネ５０のバネ圧で弁機構４を閉弁とする側に動くよう連繋機構Ｍを介して連繋して、握りレバー５の握り込みにより弁機構４が開弁作動してシーラを吐出筒２の筒先から吐出し、握りレバー５の握り込みの解放により弁機構４が閉弁に作動してシーラの吐出を停止させるシーラガンにおいて、
ボディａ内の先端側には、シリンダ状のケーシング６０と、そのケーシング６０の前端側に取り付ける吸引ブロック６２と、ケーシング６０内を前後に往復動するピストン６１と、そのピストン６１と前記吸引ブロック６２との間に形成される拡縮するポンプ室ｐと、そのポンプ室ｐに基端側が接続し先端側が吐出筒２内において吐出口２０の近傍位置に臨む吸引・吐出パイプ６４と、からなる液だれ防止装置Ｂのポンプ装置Ｐを組み込み、作動シャフト７の前端側に設ける弁機構４の弁軸４２は、作動シャフト７の前端部に前記ポンプ装置Ｐのピストン６１と略同径の拡径軸部を一体に連続させて形成して、その拡径軸部をもって弁軸４２に構成し、その弁軸４２と前記ポンプ装置Ｐのピストン６１とを、ピストン６１に設けた透孔と弁軸４２に設けてその透孔に嵌挿せる連繋金具ｇにより、一定の距離ｄを隔てて対向する状態と互いに衝合し合う状態とに変化するよう連繋し、この弁軸４２の前端とピストン６１との間に、ピストン６１と弁軸４２との間隔を押し拡げるように作用するバネＤを、前述復元バネ５０より強いバネ圧に設定して渡架装設して、握りレバー５の握り込みにより作動シャフト７をスライドさせて弁機構４を開弁させるときの握りレバー５の回動作動を、復元バネ５０を圧縮しながら作動シャフト７とともに弁軸４２を開弁位置に押し込んでいく前半側の作動と、強いバネＤを圧縮しながら作動シャフト７とともに弁軸４２をピストン６１と衝合するまで押し込んでいく後半側の作動との、２段に作動させ、握りレバー５を握りなおす際の緩め回動が、後半側の回動範囲内において弁機構４を開弁に保持せしめ、液だれ防止装置Ｂのポンプ装置Ｐを吐出作動の状態に保持せしめた状態で行えるようにしたことを特徴とするシーラガン。
を提起するものである。
【発明の効果】
【００１６】
本発明手段は、握り込みによる握りレバー５の回動作動が、復元バネ５０を圧縮しながら弁軸４２を開弁作動のエンド位置まで押し込んで弁機構４を開弁させた状態とする前半側の回動作動と、弁軸４２を開弁位置に押し込んだ状態に保持して復元バネ５０よりバネ圧を強くしたバネＤを圧縮していく後半側の回動作動との、２段の作動となるようにしてあるので、塗布作業中に握りレバー５を握り込む手の疲れをなおすために、握りを緩めて握りなおす操作が、バネ圧の強いバネＤを圧縮していく後半側の回動作動の範囲内で行えることになって、シーラの吐出に影響を与えることなく、弁機構４を開弁に保持した状態で、握りレバー５の握りなおしが行えるようになる。
【図面の簡単な説明】
【００１７】
【図１】従前のシーラガンの縦断した側面図である。
【図２】改善策として液だれ防止装置を組み付けたシーラガンの縦断側面図である。
【図３】本発明手段を実施したシーラガンの縦断側面図である。
【図４】同上シーラガンの別の実施例の縦断側面図である。
【図５】同上のさらに別の実施例の一部破断した側面図である。
【図６】同上実施例の、握りレバーを握り込んだ状態時の一部破断した側面図である。
【図７】同上のさらに別の実施例の要部の縦断側面図である。
【図８】同上実施例の弁機構を閉弁とした状態時の縦断側面図である。
【図９】同上のさらに異なる実施例の握りレバーの握り込みを放して弁機構を開弁とした状態時における一部破断した側面図である。
【図１０】同上実施例の握りレバーを握り込んで弁機構を開弁させた状態時における一部破断した側面図である。
【図１１】同上のさらに別の実施例の、弁機構を閉弁とした状態時における一部破断した側面図である。
【図１２】同上実施例の連繋金具の斜視図である。
【図１３】同上の、さらに異なる実施例の、弁機構を閉弁とした状態時における要部の縦断側面図である。
【図１４】同上実施例の弁機構を開弁とした状態時における要部の縦断側面図である。
【図１５】同上のさらに別の実施例の、弁機構を閉弁とした状態時における要部の縦断側面図である。
【発明を実施するための形態】
【００１８】
次に本発明の実施の態様を、実施例につき図面に従い詳述する。
【実施例１】
【００１９】
図３において、Ａはシーラガンの全体、ａはそのボディ、１はボディａの基端側に装設してある把持グリップ、２はボディａの先端側に装備せる吐出筒、３はシーラガンＡの器体にシーラを供給する導入管、ｕはその供給管３により供給されてくるシーラをボディａの先端の吐出筒２に導くようボディａ内に設けた誘導路、４はその誘導路ｕと吐出筒２との連通を断・接するようボディａ内部に設けた弁機構、５はその弁機構４に開弁・閉弁の作動を行わすために把持グリップ１の前面側に配位して支軸ｓ中心に前後に自在に回動するようボディａに軸支した握りレバー、Ｍは握りレバー５の回動作動で弁機構４に開弁・閉弁の作動を行わすよう握りレバー５と弁機構４とを連動・連繋する連繋機構、５０は握りレバー５が把持グリップ１から離れた開放位置に復元回動するよう連繋機構Ｍに組み込んだ復元バネ、Ｂはボディａの先端側に装備せしめた液だれ防止装置、を示す。
【００２０】
ボディａは、合成樹脂材または軽金属材により中空の筒状に成形してあり、基端側には、把持グリップ１が一体に連続して装設してある。その把持グリップ１は、内部に、前記ボディａに設けた誘導路ｕの上流側の部分が形設してあり、その部分の基端側に供給管３が接続するようにしてある。また、この把持グリップ１は、外周側に、前後の巾が広く左右の巾が狭い断面が楕円のカバー１ａが被せてあって、前後に巾広で左右が巾狭の扁平な形状に形成してある。
【００２１】
ボディａの先端側に装備せる吐出筒２は、この例では、ボディａとは別体に成形して、その吐出筒２の基端側に形成せる拡径部２ａを、ボディａの先端側に装設せる嵌合軸部ｂの外周にネジ嵌合により締着することで装備せしめてある。
【００２２】
弁機構４は、ボディａに設けたシーラの誘導路ｕに連通させてボディａの内周面に形設した弁口４０と、ボディａ内に前後にスライド自在に収蔵せる弁軸４２の周面に設けて弁口４０に対し変位自在に対向さす弁座口４１とからなり、弁軸４２が後方（図において右方）に動いて、弁座口４１の位置が弁口４０からずれると、閉弁状態となって、誘導路ｕにより導かれてくるシーラを弁口４２の位置で阻止するようになり、弁軸４２が前方に動いて、弁座口４１が弁口４０と接合すると、開弁状態となって、誘導路ｕにより導かれてくるシーラを、弁座口４１から下流側誘導路ｕ’を経て吐出筒２内に導く状態になるように構成してある。
【００２３】
この弁機構４の開閉弁の作動と握りレバー５の回動作動とを連動・連繋さす連繋機構Ｍは、ボディａ内に前後にスライド自在に収蔵せる作動シャフト７と、ボビン状に形成して作動シャフト７の外周に設けた係止部材７０と、握りレバー５の支軸ｓを越した上端部に角状に形設して前記係止部材７０に係合連結した係合突起５１と、作動シャフト７を後方に押し出すよう付勢する復元バネ５０とにより、握りレバー５が握り込まれて、把持グリップ１側に回動すると作動シャフト７が前方に動き、握りレバー５の握り込みを解放すると、復元バネ５０のバネ圧で作動シャフト７が後方に動くように構成して、作動シャフト７の前端側に弁機構４の弁軸４２を一体または一体的に設けることで、握りレバー５が把持グリップ１に添う姿勢位置に回動すると弁機構４が開弁に作動し、握りレバー５の握り込みを解放すると弁機構４が閉弁に作動するように構成している。
【００２４】
そして、液だれ防止装置Ｂは、該装置Ｂのポンプ装置Ｐを構成する部材である、内部空間をシリンダ状に形成したケーシング６０を、ボディａ内の先端部に収蔵せしめて嵌装し、これに摺動自在に嵌合するピストン６１を、前述の作動シャフト７の前端側に設けた弁機構４の弁軸４２の前端部に一体または一体的に連続させて設け、このピストン６１と対向してポンプ装置Ｐのポンプ室ｐを構成する吸引ブロック６２を、前記ケーシング６０の前端側に装着し、この吸引ブロック６２に開設した吸引・吐出口６３に、吸引・吐出パイプ６４を接続して設けることで、握りレバー５の回動作動により前後にスライド移動する作動シャフト７の作動によって、ピストン６１がケーシング６０に対し出入作動してポンプ室ｐが拡縮して吸引・吐出の作動を行うポンプ装置Ｐを構成し、これの吸引・吐出パイプ６４を、ボディａの先端部に装着した吐出筒２内に配位し、該パイプ６４の先端開口を、吐出筒２内において筒先の吐出口２０の近傍に臨ませることで、握りレバー５の握り込みを解放して弁機構４を閉弁に作動させてシーラの吐出を停止したときに生じてくるシーラの液だれＳを、ポンプ装置Ｐのポンプ室ｐに吸引して消失せしめるようにして液だれ防止装置Ｂを構成するようにしている。
【００２５】
また、前述した握りレバー５の回動作動と弁機構４の開・閉弁の作動とを連繋する連繋機構Ｍにおいて、ボディａ内に前後にスライド自在に収蔵せしめた作動シャフト７の外周面に設けたボビン状の係止部材７０は、作動シャフト７に対し軸方向に摺動自在に嵌装してある。そして、その係止部材７０を作動シャフト７上の所定位置に位置させたときに、その係止部材７０の後面が衝合する規制部材７１を、この規制部材７１により作動シャフト７上における所定位置より後方へのスライドを規制し、係止部材７０の前面側と、作動シャフト７の周面に設けた係合段部７２との間に、前記復元バネ５０よりバネ圧を強く設定したバネＤを渡架装設して、このバネＤで係止部材７０を規制部材７１に押し付けることで、係止部材７０が作動シャフト７上の所定位置に係合した状態として装架させてあり、これにより、係止部材７０を後方に移動させると作動シャフト７が一緒に後方に動き、前方に移動させると、バネＤのバネ圧で作動シャフト７を前方に移動させるようにしてある。そして係止部材７０を介し作動シャフト７を前方移動させるとき、その作動シャフト７の前方移動がストップすると、バネ圧を強くしたバネＤを圧縮しながら係止部材７０が作動シャフト７に対し前方にスライドしていくようにしてある。
【００２６】
握りレバー５の握り込みを解放したときに、該握りレバー５を開放位置に向け復元回動させるための復元バネ５０は、前述した如く、作動シャフト７にスライド自在に嵌装して規制部材７１により装設位置よりも後方へのスライド移動が阻止させてある係止部材７０の前面側とボディａとの間に、係止部材７０を後方に向け押し出すように渡架装設してある。
【００２７】
これにより、握りレバー５を握り込んで、支軸ｓ中心に把持グリップ１に添う位置に向け回動させると、該握りレバー５に設けた角状の係合突起５１が前方に回動することで、これに係合するボビン状の係止部材７０が前方に押し出されて作動シャフト７上をスライドして前方移動し、この係止部材７０とボディａとの間に渡架張設した復元バネ５０を押し縮めていく。
【００２８】
このとき、係止部材７０と作動シャフト７との間に渡架張設せるバネＤはバネ圧が復元バネ５０のバネ圧より強いことで、作動シャフト７との間に渡架された状態のままに保持されて、作動シャフト７を前方に押し出していき、その作動シャフト７前端側に設けた弁軸４２を前方に動かし弁機構４を開弁に作動させる。そして、弁軸４２の前方移動がポンプ装置Ｐの吸引ブロック６２との衝合でエンドに達し、作動シャフト７の前方移動がストップすると、引き続いて行われる握りレバー５の握り込みによる回動で、係合突起５１により前方に押し出される係止部材７０は、バネＤを押し縮めながら作動シャフト７上をスライドして前方に移動していく。この係止部材７０のバネＤを押し縮めながらの前方へのスライド移動は、バネＤの圧縮がエンドに達するまで行われ、それにより係止部材７０の移動がストップすることで、握り込みによる握りレバー５の回動はエンドとなる。
【００２９】
次に、握り込んだ握りレバー５の握り込みを開放すると、係合突起５１による係止部材７０を前方に押し出す圧力が消失することで、係止部材７０はバネＤの復元力により後方に押し出され、作動シャフト７上をスライドして後方に移動し、その移動で作動シャフト７に設けた規制部材７１に衝合すると、それにより作動シャフト７と係合した状態となり、以後は復元バネ５０のバネ圧で作動シャフト７と一緒に後方に移動していく。そして、この係止部材７０の後方移動は、作動シャフト７の後端が、ボディａ内の後端側に装備せしめてある調整装置８の調整ロッド８０に突き当たって作動シャフト７の後方移動がストップすることで停止し、以後、この状態位置に復元バネ５０のバネ圧により保持される。そして、この係止部材７０の移動作動により、握りレバー５は係合突起５１の回動作動で、把持グリップ１から離れた開放位置に復元回動する。
【００３０】
このように構成しているこの実施例のシーラガンＡは、弁機構４を開弁に作動させるために、握りレバー５を握り込んで行うその握りレバー５の回動作動が、復元バネ５０を圧縮させながら係止部材７０を前方移動させて、バネ圧の強いバネＤを介して係合している作動シャフト７を一緒に前方移動させ、弁機構４を開弁作動させる前半側の回動と、開弁位置にストップしている作動シャフト７を復元バネ５０のバネ圧でその位置に保持せしめた状態において、係止部材７０を、バネ圧の強いバネＤを押し縮めながら作動シャフト７に対してスライドさせて前方に移動させていく後半側の回動との２段階で行われるようになる。
【００３１】
このため、握りレバー５をそれの回動のエンド位置まで固く握り込んでシーラの塗布作業を行っている作業中において、握りなおすために、握りを緩めたときの握りレバー５の少しの復元回動が、作動シャフト７に対し係止部材７０がスライドする後半側の回動範囲内で行えるようになって、握りなおしの操作が、弁機構４を確実に開弁に保持した状態で手軽に行えるようになる。
【実施例２】
【００３２】
図４は、別の実施例のシーラガンの縦断側面図を示している。この実施例は、握りレバー５は、先端側の握り部５ａと基端側の主体部５ｂとに２分してそれぞれ別体に形成し、先端側の握り部５ａを基端側の主体部５ｂに対し、把持グリップ１に向かう方向に折曲回動自在に連結し、それらの間に、直列に連続する状態姿勢となるようバネＤを渡架しておくが、そのバネは、握りレバー５を復元回動させる復元バネ５０よりバネ圧を強くしたバネＤを用いておくことで、握りレバー５を握り込むときの該握りレバー５の回動作動が、基端側の主体部５ｂと先端側の握り部５ａとが一体に連続する状態で、復元バネ５０を圧縮しながら行われる前半側の回動と、作動シャフト７のスライドのストップにより基端側の主体部５ｂの回動がストップして先端側の握り部５ａがバネ圧の強いバネＤを圧縮しながら主体部５ｂに対し折曲回動する後半側の回動との２段に行われるようにしている例である。
【００３３】
この図４に示している実施例のシーラガンＡは、基本的な構成については前述の図３に示している実施例１のシーラガンと変わりがなく、同じ構成部材については同じ符号を付している。即ち、図４において、ａはボディで、中空の筒状に成形してあって、基端側には、把持グリップ１が装設してあり、先端側には吐出筒２が設けてある。把持グリップ１の内部及びボディａの底部には、把持グリップ１の基端部に接続する供給管３で供給されてくるシーラをボディａの先端側の吐出筒２内に導く誘導路ｕが形設してある。また、ボディａの内腔で、先端側に寄る部位には、前記誘導路ｕを経て導かれてくるシーラの吐出筒２内に対する供給を断・接制御する弁機構４が収蔵され、ボディａ内腔の中央部位には、弁機構４と、把持グリップ１の前面側に配位して支軸ｓにより前後に回動自在に軸支してある握りレバー５とを連繋する連繋機構Ｍが収蔵してある。
【００３４】
この連繋機構Ｍは、軸方向に長いシャフト状に形成して軸方向を前後方向に沿う姿勢としてボディａ内に前後にスライド自在に収蔵せしめた作動シャフト７と、それの周面に固着装設したボビン状の係止部材７０と、握りレバー５の上端部に角状に突設して前記係止部材７０に係合させた係合突起５１と、作動シャフト７を後方に押し出すようボディａと係止部材７０との間に渡架張設した復元バネ５０と、作動シャフト７の前端側に一体的に接続させて設けた弁機構４の弁軸４２とで構成され、握りレバー５を握り込むと、それにより回動する係合突起５１が係止部材７０を復元バネ５０のバネ圧に抗して前方に押し出し、作動シャフト７を前方移動させ、弁機構４の弁軸４２に設けた弁座口４１をボディａの内周側に設けた弁口４０に合致させて、弁機構４を開弁に作動させ、握りレバー５の握り込みを開放すると、復元バネ５０の復元力で、作動シャフト７が後方に移動し、係止部材７０、係合突起５１の作動で握りレバー５が把持グリップ１から離れた開放位置に復元回動するように連繋させてある。
【００３５】
しかし、握りレバー５は、把持グリップ１とともに握り込むときに掌の指をかける先端側の握り部５ａと、支軸ｓ中心に回動する基端側の主体部５ｂとに２分してそれぞれを別体に形成してあって、その先端側の握り部５ａを、基端側の主体部５ｂに対し、前記支軸ｓと平行する連結軸５２により、把持グリップ１に向かう方向に沿い折曲回動自在に連結させてあり、かつ、この握り部５ａと主体部５ｂとの間に、前記復元バネ５０より強いバネ圧のバネＤを、トーションバネに形成して握り部５ａが主体部５ｂと直列に連続する状態姿勢となるように付勢するように渡架装設してある。そして、基端側の主体部５ｂの支軸ｓ中心とする回動作動は、握りレバー５が握り込みの解放により復元バネ５０で復元回動している状態位置を基点とし、その位置から把持グリップ１に近接していく方向に回動していくときの回動範囲を、係合突起５１を介して連繋する作動シャフト７が、弁機構４を開弁に作動させた状態位置までに規制し、作動シャフト７が弁機構５を開弁させた位置でストップしたところで、この主体部５ｂの前記方向の回動作動が停止するようにしてある。
【００３６】
この主体部５ｂの回動を、弁機構４に開弁作動を行わせたところで停止させる規制手段は、主体部５ｂがその状態位置まで回動したときに該主体部５ｂが突き当たるロック部材を把持グリップ１の側に付設しておくことで足りるが、この例においては、作動シャフト７の前端側が、液だれ防止装置Ｂのポンプ装置Ｐの吸引ブロック６２に突き当たってストップすることを利用し、これで規制するようにしている。
【００３７】
また、先端側の握り部５ａの基端側の主体部５ｂに対する連結軸５２中心とする回動は、握りレバー５を握り込む作動で、主体部５ｂの回動がロックされた状態時から開始し、握り部５ａの内壁面が主体部５ｂに設けた規制片５３に衝合して停止するまで行われる。
【００３８】
握り部５ａは、それの上端側に、主体部５ｂの把持グリップ１に対し外側に位置する外板５４の前面に当接する当板５５を設けて、この当板５５が主体部５ｂの外板５４外面に当接することで、該握り部５ａの主体部５ｂに対する外側への回動が阻止され、また、主体部５ｂと握り部５ａとの間に渡架するバネＤにより、この当板５５が外板５４に当接して外側回動が停止した位置に保持せしめてある。
【００３９】
なお、バネＤは、この例では、トーションバネを用いているが、板バネ等の適宜のバネ材を用いてよい。
【００４０】
この実施例のシーラガンＡは、握りレバー５を握り込むと、握りレバー５は、弁機構４を開弁作動させるまでは、主体部５ｂと握り部５ａとがバネＤのバネ圧で一体的に連結して一緒に回動するが、弁機構４を開弁作動させた後は、主体部５ｂは回動せず、握り部５ａだけがバネＤのバネ圧に抗して回動し、該握り部５ａの内壁面が規制片５３に衝合して停止まで回動するようになる。そして、この握りレバー５を握り込みにより回動させて弁機構４を開弁作動させるときに行われる握り部５ａの主体部５ｂに対する回動は、握り部５ａがバネＤのバネ圧に抗して主体部５ｂに対し折曲回動することで、弁機構４をバネＤのバネ圧で開弁の状態位置に保持し続ける状態で行われるようになる。
【００４１】
このため、握りレバー５の握り込みを握りなおすために、握り込みを緩めると、主体部５ｂは回動せず握り部５ａだけが、主体部５ｂに対し回動するようになるので、弁機構４の作動に変化を生ぜしめずに、握りなおしが行えるようになる。
【実施例３】
【００４２】
図５・図６は別の実施例を示している。
【００４３】
この例は、握りレバー５の握り込みにより、作動シャフト７をスライド作動させることで、弁機構４を開弁させるときの握りレバー５の回動作動を、復元バネ５０のバネ圧に抗して作動シャフト７を開弁位置に押し込んでいく前半側の回動作動と、弁機構４を開弁に作動させた状態に保持せしめて、復元バネ５０よりバネ圧を強く設定したバネＤを圧縮しながら作動シャフト７をさらに押し込んでいく後半側の回動と、の２段に作動させ、この強いバネＤを圧縮していく後半側の回動範囲で、握りなおしのための握り込みの緩め回動が行えるようにしている例である。
【００４４】
この例のシーラガンは、それの基本的な構成については、前述した実施例１のものと変わりがなく、ボディａの後半側には把持グリップ１が設けられ、その把持グリップ１の前面には、弁機構４に開弁・閉弁の作動を行うための握りレバー５が軸支されている。
【００４５】
そして、その握りレバー５の弁機構４に対する連繋は、ボディａ内には作動シャフト７を、軸方向にスライド自在に収蔵せしめ、その作動シャフト７の前端側に弁機構４の弁軸４２を、一体または一体的に連続させて設けて、その作動シャフト７の周面に設けたボビン状の係止部材７０とボディａの内周面に設けた係止部１０との間に渡架せる復元バネ５０により後方に押し出すよう付勢しておき、握りレバー５には、作動シャフト７に設けた前記係止部材７０と係合する係合突起５１を設けて、この係合突起５１と前記係止部材７０とからなる連繋機構Ｍで握りレバー５と作動シャフト７を連繋することで、握りレバー５を握り込むと、それにより回動する握りレバー５の回動方向と逆方向に回動する係合突起５１の作動で係止部材７０が復元バネ５０を押し縮めながら前方に動いて作動シャフト７とともに弁軸４２を前方にスライドさせ、弁軸４２の周面に設けた弁座口４１がボディａの内周面に設けた弁口４０と接合して開弁に作動し、握りレバー５の握り込みを放すと、作動シャフト７と弁軸４２とが復元バネ５０の復元力で後方に動いて、弁軸４２に設けた弁座口４１が弁口４０から外れた位置に動き、閉弁に作動させるようにしてある、こと前述した実施例のものと変わりがない。
【００４６】
しかし、この例においては、作動シャフト７の前端側に設ける弁軸４２は、作動シャフト７とは別体の筒状に形成して、作動シャフト７の前端部に形設した拡径軸部７ａの外周に軸方向に可動に嵌装し、その筒状の弁軸４２の後端側には、作動シャフト７の拡径軸部７ａの脱出を阻止する係止片４２ａを植設し、前端側には、ボディａ内に収蔵せしめる液だれ防止装置Ｂのポンプ装置Ｐのピストン６１を一体的に連結してあり、これにより筒状の弁軸４２内に嵌合する作動シャフト７の拡径部７ａが、ピストン６１の内面と係止片４２ａとの間を一定の距離だけ自在に摺動するようにしてある。
【００４７】
そして、この作動シャフト７の前端の拡径軸部７ａは、内部に後方に向かう穴ｈを形設して、この穴ｈ内に、拡径部７ａをピストン６１の内面から後方に押し出すよう、復元バネ５０よりもバネ圧を強く設定したバネＤを装設し、これにより弁軸４２と拡径軸部７ａを一体的に係合させている。
【００４８】
なお、図５・図６において、６０は、内周面をシリンダ状に形成して、筒状のボディａの内側に嵌装したポンプ装置Ｐのケーシング、６ａは、前記ケーシング６０を後方に延長するようにボディａ内に嵌装したスプリングカラー、Ｐは、前記弁軸４２の前端に設けたピストン６１と、シリンダ状のケーシング６０と、そのケーシング６０の前端に設けた吸引ブロック６２と、その吸引ブロック６２の後面と前記ピストン６１の前面との間に形成される拡縮するポンプ室ｐと、そのポンプ室ｐに接続する吸引・吐出パイプ６４とからなるポンプ装置を示す。このポンプ装置Ｐは、拡縮するポンプ室ｐに接続する吸引・吐出パイプ６４の先端開口を、吐出筒２の吐出筒２内において、その筒先の吐出口２０の近傍位置に臨ませてあり、握りレバー５の握り込みの解放作動で、弁軸４２が作動シャフト７と共に後方に動いて、弁座口４１が弁口４０と接合する位置から後方にずれて、弁機構４を閉弁に作動させたときに、弁軸４２と共にピストン６１が図５にあるよう後方に動いてポンプ室ｐを拡張させて吸引作動を行い、閉弁時に吐出筒２の筒先に生じてくるシーラの液だれを、吸引・吐出パイプ６４を経てポンプ室ｐに向け引き込み、液だれを消失せしめる液だれ防止装置Ｂを構成している。
【００４９】
この実施例のシーラガンは、握りレバー５を握り込んでいくときの作動及び握りレバー５の握り込みを解放していくときの作動が、次のようになる。
【００５０】
握りレバー５を握り込んでいくときは、まず、復元バネ５０を押し縮めながら作動シャフト７を前方に押し出す。これにより、復元バネ５０よりも強いバネ圧のバネＤで作動シャフト７前端の拡径軸部７ａに連繋している弁軸４２とピストン６１が前方に動いて、弁軸４２に設けた弁座口４１が弁口４０と接続連通して、弁機構４を開弁の状態とする。
【００５１】
この状態から握りレバー５をさらに握り込んでいくと、弁軸４２とピストン６１はさらに前方に移動する。この前方移動は、ピストン６１の前面側が吸引ブロック６２の後面側に突き当たってストップするまで続けられる。この弁軸４２の移動は、弁軸４２の周面に設ける弁座口４１を、軸方向の巾が広くなるように形成していることで、弁座口４１が弁口４０に接合した開弁状態を保持した状態で行われる。この作動シャフト７の拡径軸部７ａの動きがストップすることにより握りレバー５の握り込みの回動がストップし、握り込み作動はエンドとなる。
【００５２】
次に握りレバー５の握り込みを緩めていくと、まず、強いバネＤが伸び出して拡径部７ａが弁軸４２に設けた係止片４２ａに突き当たるまで、作動シャフト７だけを後方に移動させる。この作動シャフト７の移動の間、弁軸４２とピストン６１は、バネＤのバネ圧で前方に移動した位置に保持される。さらに握り込みを緩めていくと、バネＤと係止片４２ａとにより拡径部７ａと連結状態にあるピストン６１と弁軸４２とが、作動シャフト７と共に、後方に動いて、弁機構４を閉弁に作動させるようになる。
【００５３】
このことから、この実施例手段のものは、握りレバー５を握りなおすための握り込みを緩める操作作動が、弁機構４を開弁に保持せしめた状態で行えるようになる。
【実施例４】
【００５４】
図７・図８は、さらに別の実施例を示している。この実施例は、前述の実施例３の変形例である。この例は、握りレバー５を握り込みにより、握り込み方向に回動させて弁機構４を開弁させる作動が、復元バネ５０を圧縮させながら作動シャフト７を動かし、その作動シャフト７に装着支持せしめた弁機構４の弁軸４２を開弁位置に動かす握りレバー５の前半側の回動作動と、その弁軸４２を開弁位置に保持せしめた状態で復元バネ５０よりバネ圧を強くした第２のバネＤを押し縮めながら作動シャフト７だけを前方に動かす握りレバー５の後半側の回動とで行われるようにしていることは、前述の実施例３と同様であるが、復元バネ５０より強いバネ圧に設定して作動シャフト７に作用させるバネＤの装設位置を変えている例である。
【００５５】
即ち、前述の実施例３では、ポンプ装置Ｐのピストン６１と一体に連続する筒状形成した弁軸４２を、作動シャフト７と別体に形成し、これを作動シャフト７の前端側に形成した拡径部７ａの外周に嵌装して、筒状の弁軸４２に対し、作動シャフト７の拡径部７ａが、筒状の弁軸４２の後端に設けた係止片４２ａに突き当たるまでの間をスライドするようにしておいて、弁軸４２と一体に連結するピストン６１の内面と拡径部７ａとの間に第２のバネであるバネ圧の強いバネＤを設けている。
【００５６】
これに対し、この実施例では、作動シャフト７の前端側は拡径軸部７ａを設けずに同径で連続する軸杆状の嵌合軸部７ｂに形成して、ポンプ装置Ｐのピストン６１が蓋状に連続する有底の筒状に形成した弁軸４２内に摺動自在に嵌挿して、その作動シャフト７の前端の軸芯部に植設したピン状の連繋金具ｇを、ピストン６１の軸芯部に開設した透孔を介しピストン６１の前面側に突出させ、その連繋金具ｇの突出端部に、抜け止めの止め金具７ｃを設けることで、筒状の弁軸４２が連繋金具ｇにより規制された一定の距離ｄを作動シャフト７に対し動くようにしておく。そして、バネ圧の強い第２のバネＤは、筒状の弁軸４２の後端と、作動シャフト７の周面に設けた係止片ｋとの間に設けるようにしている。
【００５７】
この実施例は、握りレバー５を握り込んでいくと、その握りレバー５の握り込み回動の前半では、復元バネ５０を押し縮めながら、作動シャフト７と弁軸４２およびピストン６１が前方に動き、それにより、ピストン６１が吸引ブロック６２に突き当たり、ピストン６１と弁軸４２の動きがストップすると、強いバネＤを押し縮めながら作動シャフト７が前方に動き、そのシャフト７の前端がピストン６１に衝合してストップすることで握りレバー５の握り込みの回動がエンドになって、前述の実施例３と同様に握りレバー５の握り込みの回動が、復元バネ５０を押し縮めていく前半側の回動とバネ圧の強いバネＤを押し縮めていく後半側の回動との２段に行われるようになる。
【００５８】
そして、握りレバー５の握り込みを放していくときの作動は、まず、バネ圧の強いバネＤが伸び出して、ピストン６１及び弁軸４２とを押し込んだ位置に保持して作動シャフト７だけを後方にスライドさせ、それによりピストン６１及び弁軸４２が作動シャフト７に係合したところで、復元バネ５０により作動シャフト７とピストン６１及び弁軸４２とが一緒に後方に移動させるように２段に作用するようになる。
【００５９】
このため、握りレバー５を握りなおすために握り込みを緩める作動が、バネＤを伸び出させる作動の範囲で行えて、弁機構４を閉弁させることなく握りなおせるようになる。
【実施例５】
【００６０】
図９・図１０は別の実施例を示す。この例は、前述の実施例４の変形例である。弁機構４の弁軸４２は、作動シャフト７とは別体の筒状に形成して、その弁軸４２の前端側の開口端に液だれ防止装置Ｂのポンプ装置Ｐのピストン６１を、盲蓋状に一体に連続させて取り付け、このピストン６１と一体の弁軸４２の内腔に作動シャフト７の前端側に形成した軸杆状の嵌合軸部７ｂを摺動自在に嵌挿し、その嵌合軸部７ｂの前端に突設したピン状の連繋金具ｇの突出端側を、ピストン６１の軸芯部に開設した透孔に摺動自在に挿通して、突出端に抜け止めの止め金具７ｃを設けることで、ピストン６１と一体に連続する弁軸４２が作動シャフト７に対し、ピン状の連繋金具ｇの長さにより規制された一定の距離ｄだけスライドするようにしておいて、作動シャフト７とボディａとの間に復元バネ５０を渡架装設し、作動シャフト７の周面に設けた係止片ｋと筒状とした弁軸４２の後端面との間に前記復元バネ５０よりバネ圧を強くしたバネＤを渡架装設して、握りレバー５を握り込んでいくときの作動が、復元バネ５０を圧縮していく前半側の回動と、バネ圧を強くしたバネＤを圧縮していく後半側の回動との２段に行われるようにしていることについては前述の実施例４と変わりがない。
【００６１】
しかし、この実施例５は、ピストン６１と一体に連続させて成形した弁軸４２の内腔に、摺動自在に嵌挿せしめる作動シャフト７の前端側に形成した軸杆状の嵌合軸部７ｂを、それの周面に弁軸４２に設けた弁座口４１と連通するシーラの誘導路ｕ’を設けて、弁機構４より下流側の誘導路ｕの構成部材に利用している点において前述の実施例４と相違する構成としたシーラガンである。
【００６２】
図１１・図１２は、弁軸４２を作動シャフト７とは別体に形成し、かつ、その弁軸４２を筒状に形成して、前端側にポンプ装置Ｐのピストン６１を一体に連続させて設けておき、この弁軸４２の内腔に、作動シャフト７の前端部を摺動自在に嵌挿し、その摺動範囲を作動シャフト７の前端部に設けたピン状の連繋金具ｇにより規制するときの、そのピン状の連繋金具ｇを植設するときの、そのピン状の連繋金具ｇの変形例を示している。ピン状の連繋金具ｇは、作動シャフト７とは別体のネジ軸に形設してあって、作動シャフト７の前端部を弁軸４２の内腔に嵌挿した状態において、ピストン６１の外側からピストン６１の中心部に開設した透孔を介して先端側を挿し込み、作動シャフト７の前端面に先端のネジ部を螺合して取り付け、これにより、作動シャフト７の前方移動で、その作動シャフト７の前端部の端面がピストン６１の後面側に突き当たり、ピン状の連繋金具ｇがピストン６１の前面側に突出した状態となった位置から、作動シャフト７の後退で、ネジ軸としたピン状の連繋金具ｇの頭部が、ピストン６１の前面側に衝合してピストン６１と係合する状態位置となる間を、弁軸４２が作動シャフト７に対し自在に摺動するように規制している。この実施例は、前述の実施例３、実施例４のものと同様に作用する。
【実施例６】
【００６３】
図１３及び図１４は、さらに別の実施例を示している。この例は、前述の実施例が、作動シャフト７と弁軸４２とを別体に形成しているのに対し、作動シャフト７の前端側に装設する弁機構４の弁軸４２を、作動シャフト７の前端に一体または一体的に連続させて設け、かつ、この弁軸４２を、弁機構４の前面側に配位してボディａ内に組み込む液だれ防止装置Ｂのポンプ装置Ｐのピストン６１と略同径の拡径軸状に形成し、その拡径軸状とした弁軸４２の前端を、前記ポンプ装置Ｐのピストン６１に対し、弁軸４２の前端側に植設せるピン状の連繋金具ｇを介して、一定の距離ｄを可動に組み付け、この弁軸４２の前端面とピストン６１の後端面との間に、作動シャフト７に作用させる復元バネ５０よりバネ圧を強く設定したバネＤを渡架装設して、ピストン６１と弁軸４２との間がこのバネＤにより押し拡げられるようにしている例である。
【００６４】
この例では、握りレバー５を握り込んで回動させると、作動シャフト７が復元バネ５０を圧縮させながら前方にスライドして弁軸４２を前方に動かし、弁軸４２に設けた弁座口４１がボディａ内周側に設けている弁口４０と合致する開弁位置に動かし、図１４に示す状態とする。このとき、弁軸４２の前端に組み付けてあるピストン６１が一緒に前方に動き、ポンプ装置Ｐの吸引ブロック６２と衝合するようになって、吸引ブロック６２とピストン６１との間に形成されるポンプ室ｐを圧縮し、ポンプ装置Ｐに吐出作動を行わせる。
【００６５】
この状態からさらに握りレバー５を握り込むと、吸引ブロック６２に突き当たっているピストン６１が前方に動かないことで、作動シャフト７と弁軸４２だけが、バネ圧を強く設定したバネＤを圧縮しながら前方に移動する。この移動の間、弁軸４２に設けた弁座口４１の軸方向の巾が広くなっていることで、弁口４０と合致した状態を続け、弁機構４を開弁の状態に保持し続ける。また、ポンプ装置Ｐも吐出作動を行った状態を保持し続ける。この弁軸４２の移動は、ピン状の連繋金具ｇの長さにより設定された一定の距離ｄを動いて、弁軸４２がピストン６１に突き当たるか、バネＤの圧縮がエンドに達することでストップする。そして、その作動シャフト７のストップにより握りレバー５の握り込みによる回動はエンドとなる。
【００６６】
また、握りレバー５の握り込みを緩めると、バネ圧の強いバネＤの復元作動で弁軸４２と作動シャフト７とが、連繋金具ｇにより規制された一定の距離ｄだけ後方に動き、図１４にて実線に示している状態位置を占める。このとき、弁機構４は弁座口４１の軸方向の巾が広く形成してあることで、開弁の状態を保持し続ける。また、ポンプ装置Ｐもピストン６１が吸引ブロック６２に押し付けられた状態にあることで、吐出作動を行った状態の保持される。
【００６７】
握り込みをさらに緩めると、復元バネ５０のバネ圧で作動シャフト７と弁軸４２がさらに後方に動いて、図１３に示す状態となり弁軸４２に設けた弁座口４１が弁口４０から外れて弁機構４を閉弁させ、また、連繋金具ｇで弁軸４２に連繋しているピストン６１が吸引ブロック６２から後退して、ポンプ装置Ｐに吸引作動を行わすようになる。
【００６８】
従って、この実施例６のシーラガンは、握りレバー５の握り込みにより作動シャフト７をスライド作動させて弁機構４を開弁させるときの握りレバー５の回動作動を、復元バネ５０を圧縮させながら作動シャフト７を開弁位置に押し込んでいく前半側の回動作動と、弁機構４を開弁に作動させた状態に保持せしめて復元バネ５０よりバネ圧を強く設定したバネＤを圧縮しながら作動シャフト７をさらに押し込んでいく後半側の回動作動と、の２段に作動するようになり、前述の各実施例のものと同様に、強いバネ圧のバネＤを圧縮していく後半側の回動範囲で、作業中における握りレバー５を握りなおす操作のための、握りレバー５の握り込みの緩めが行えるようになる。
【００６９】
この実施例のシーラガンは、基本的な構成については前述した実施例のものと変わりがなく、同じ構成部材については同一の符号を付して詳しい説明は省略している。
【００７０】
なお、図１３・図１４において、ｕ’は、弁軸４２の内部に形設した弁機構４より下流側のシーラの誘導路を示している。
【実施例７】
【００７１】
図１５は、さらに別の実施例を示している。この例は、前述の実施例６の変形例である。作動シャフト７の前端側に装設する弁軸４２を、作動シャフト７と一体または一体的に連続させて設けていること、その弁軸４は、ポンプ装置Ｐのピストン６１と略同径とした拡径軸部７ａを作動シャフト７の前端側に設けて、この拡径軸部７ａで形成していること、この弁軸４２の前端側に、ポンプ装置Ｐのピストン６１を、連繋金具ｇを介し連繋して、そのピストン６１に対しいっていの距離ｄに規制された範囲内で進退自在としていること、この弁軸４２を、シリンダ状に形成してボディａ内に嵌装してあるケーシング６０内に摺動自在に嵌合させていること、作動シャフト７に設けたボビン状の係止部材７０とボディａ内周面に設けた係合部との間に復元バネ５０を渡架装設して作動シャフト７を後方に押し出していること、弁軸４２とピストン６１との間に復元バネ５０より強いバネ圧のバネＤを渡架装設して弁軸４２をピストン６１から後方に押し出すようにしていること、については前述の実施例６のものと変わりがない。
【００７２】
前述の実施例６のものと相違している点は、弁軸４２とピストン６１とを連繋する連繋金具ｇを、弁軸４２の前端面の中心部に、弁軸４２から突出する軸杆を一体に連続させて形成し、この軸杆をピストン６１の軸芯部に開設した透孔に挿通して、ピストン６１の前面側に突出させ、突出端に抜け止め金具７ｃを取り付けて、ピストン６１と弁軸４２とを連繋させている点と、拡径軸部に形成した弁軸４２には周面に軸方向の巾を広くした弁座口４１を環状に形設するだけで内部にシーラの誘導路ｕ’を設けない形態としている点だけであり、前述の実施例６のものと同様に機能し作用する。
【符号の説明】
【００７３】
Ａ    シーラガン
Ｂ    液だれ防止装置
Ｃ    バネ
Ｄ    バネ
Ｍ    連繋機構
Ｐ    ポンプ装置
Ｓ    シーラの液だれ
ａ    ボディ
ｂ    嵌合軸部
ｄ    距離
ｆ    係止金具
ｇ    連繋金具
ｈ    穴
ｋ    係止片
ｐ    ポンプ室
ｓ    支軸
ｕ    誘導路
ｕ’  シーラの誘導路
１    把持グリップ
１ａ  カバー
２    吐出筒
２ａ  拡径部
２０    吐出口
３    供給管
４    弁機構
４０    弁口
４１    弁座口
４２    弁軸
５    握りレバー
５ａ  握り部
５ｂ  主体部
５０    復元バネ
５０ａ  係止部
５１    係合突起
５２    連結軸
５３    規制片
５４    外板
５５    当板
６ａ  スプリングカラー
６０    ケーシング
６１    ピストン
６２    吸引ブロック
６３    吸引・吐出口
６４    吸引・吐出パイプ
７    作動シャフト
７ａ  拡径軸部
７ｂ  嵌合軸部
７ｃ  止め金具
７０    係止部材
７１    規制部材
７２    係合段部
８    調整装置
８０    調整ロッド
【図１】
0005610998.tif 000002
【図２】
0005610998.tif 000003
【図３】
0005610998.tif 000004
【図４】
0005610998.tif 000005
【図５】
0005610998.tif 000006
【図６】
0005610998.tif 000007
【図７】
0005610998.tif 000008
【図８】
0005610998.tif 000009
【図９】
0005610998.tif 000010
【図１０】
0005610998.tif 000011
【図１１】
0005610998.tif 000012
【図１２】
0005610998.tif 000013
【図１３】
0005610998.tif 000014
【図１４】
0005610998.tif 000015
【図１５】
0005610998.tif 000016